(57)【要約】【課題】文書データによって構成される文書画像を被表示部に表示し、当該表示された文書画像を利用してプレゼンテーションを行うシステムにおける、前記文書画像の表示内容の概要を作成するのに好適な文書概要作成装置、表示装置、情報処理装置、プレゼンテーションシステムを提供する。【解決手段】プレゼンテーションシステム１を、文書データの表示内容におけるプレゼンテーション発表者の意図する強調箇所を判断するための強調箇所判断情報に基づき、文書データの表示内容の概要を作成する文書概要作成装置２と、文書データによって構成される文書画像をスクリーン５に投射表示する表示装置３と、文書概要作成装置２において作成された概要データを取得し、当該概要データによって構成される画像を自己の表示部に表示する複数の情報処理装置４と、表示装置３から光投射される文書画像を表示するスクリーン５とを含んだ構成とした。【選択図】      図１
2006106845.tif 000002
【特許請求の範囲】
【請求項１】
文書データによって構成される文書画像を表示部に表示し、当該表示結果を利用してプレゼンテーションを行うシステムにおける、前記文書画像の表示内容の概要を作成する装置であって、
前記文書データから、前記文書画像の表示内容における強調箇所に該当するデータを抽出する強調箇所抽出手段と、
前記強調箇所抽出手段の抽出結果に基づき、前記表示内容の概要を構成する概要データを作成する概要データ作成手段と、
前記概要データ作成手段によって作成された前記概要データを記憶する概要データ記憶手段と、を備えることを特徴とする文書概要作成装置。
【請求項２】
文書データによって構成される文書画像を表示部に表示し、当該表示結果を利用してプレゼンテーションを行うシステムにおける、前記文書画像の表示内容の概要を作成する装置であって、
前記文書画像の表示内容における強調箇所を判断するための強調箇所判断情報を記憶する強調箇所判断情報記憶手段と、
前記文書データを取得する文書データ取得手段と、
前記文書データ取得手段によって取得された文書データと、前記強調箇所判断情報記憶手段に記憶された強調箇所判断情報とに基づき、前記文書データから前記強調箇所に該当するデータを抽出する強調箇所抽出手段と、
前記強調箇所抽出手段の抽出結果に基づき、前記表示内容の概要を構成する概要データを作成する概要データ作成手段と、
前記概要データ作成手段によって作成された前記概要データを記憶する概要データ記憶手段と、を備えることを特徴とする文書概要作成装置。
【請求項３】
前記強調箇所判断情報は、文字画像に係る表示内容に対する前記強調箇所の判断基準を示す情報を含むことを特徴とする請求項２記載の文書概要作成装置。
【請求項４】
前記文書データによる各表示内容毎の前記表示部への表示時間を取得する表示時間取得手段を備え、
前記強調箇所判断情報として、前記表示時間取得手段によって取得された表示時間と、これに該当する表示内容の情報とを対応付けて前記強調箇所判断情報記憶手段に記憶することを特徴とする請求項２又は請求項３記載の文書概要作成装置。
【請求項５】
前記表示部に表示された表示結果の任意箇所を指し示すことが可能な指示手段によって、前記任意箇所を指し示した際の指示軌跡を取得する指示軌跡取得手段を備え、
前記強調箇所判断情報として、前記指示軌跡取得手段によって取得された指示軌跡と、これに該当する表示箇所とを対応付けて前記強調箇所判断情報記憶手段に記憶することを特徴とする請求項２乃至請求項４のいずれか１項に記載の文書概要作成装置。
【請求項６】
音声のデータを取得する音声データ取得手段を備え、
前記強調箇所判断情報として、前記プレゼンテーション中において、前記音声データ取得手段によって取得された音声のデータと、これに該当する表示箇所とを対応付けて前記強調箇所判断情報記憶手段に記憶することを特徴とする請求項２乃至請求項５のいずれか１項に記載の文書概要作成装置。
【請求項７】
前記強調箇所抽出手段は、前記音声データから導出される音の高さを示す数値が所定値以上の場合に、その音声データに対応する表示箇所のデータを、強調箇所と判断して前記文書データから抽出することを特徴とする請求項６記載の文書概要作成装置。
【請求項８】
前記概要の構成に係る作成条件を設定する作成条件設定手段を備え、
前記概要データ作成手段は、前記強調箇所抽出手段の抽出結果と、前記作成条件とに基づき、当該作成条件に応じた構成の前記概要データを作成することを特徴とする請求項２乃至請求項７のいずれか１項に記載の文書概要作成装置。
【請求項９】
前記強調箇所判断情報の適用条件を設定する適用条件設定手段を備え、
前記強調箇所抽出手段は、前記文書データと、前記適用条件に応じた前記強調箇所判断情報とに基づき、前記文書データから前記強調箇所に該当するデータを抽出することを特徴とする請求項２乃至請求項８のいずれか１項に記載の文書概要作成装置。
【請求項１０】
副表示部と、
前記概要データ記憶手段に記憶された概要データによって構成される画像を前記副表示部に表示する概要画像表示手段を備えることを特徴とする請求項２乃至請求項９のいずれか１項に記載の文書概要作成装置。
【請求項１１】
請求項２乃至請求項９のいずれか１項に記載の文書概要作成装置と、
前記文書データによって構成される文書画像を前記表示部に表示する文書画像表示手段と、  前記文書概要作成装置によって作成された前記概要データを外部機器に出力する概要データ出力手段と、を備えることを特徴とする表示装置。
【請求項１２】
表示装置と、請求項２乃至請求項９のいずれか１項に記載の文書概要作成装置と、情報処理装置とを備え、
前記文書概要作成装置と、前記情報処理装置とを通信回線を介して互いにデータ通信可能に接続し、
前記表示装置は、前記表示データによって構成される文書画像を表示部に表示する文書画像表示手段を備え、
前記文書概要作成装置は、前記概要データ記憶手段に記憶された前記概要データを、前記情報処理装置に送信する概要データ送信手段を備え、
前記情報処理装置は、前記文書概要作成装置から送信された前記概要データを受信する概要データ受信手段と、当該概要データ受信手段によって受信した前記概要データによって構成される画像を表示する概要画像表示手段と、を備えることを特徴とするプレゼンテーションシステム。
【請求項１３】
請求項１１記載の表示装置と、情報処理装置とを備え、
前記表示装置と、前記情報処理装置とを通信回線を介して互いにデータ通信可能に接続し、
前記表示装置における、前記概要データ出力手段は、前記文書データを前記通信回線を介して前記情報処理装置に送信可能であると共に、前記概要データ作成手段によって作成された前記概要データを前記通信回線を介して前記情報処理装置に送信可能であり、
前記情報処理装置は、
前記表示装置から送信された文書データを受信する文書データ受信手段と、
前記文書データ受信手段によって受信した文書データによって構成される文書画像を表示する文書画像副表示手段と、
前記表示装置から送信された前記概要データを受信する概要データ受信手段と、
前記概要データ受信手段によって受信した前記概要データによって構成される画像を表示する概要画像表示手段と、を備えることを特徴とするプレゼンテーションシステム。
【請求項１４】
前記情報処理装置は、
前記文書画像副表示手段によって表示された各文書画像の表示時間を計測する表示時間計測手段と、
前記表示時間計測手段によって計測された表示時間の情報と、これに該当する文書画像情報とを対応付けてなる閲覧情報を生成する閲覧情報生成手段と、
前記閲覧情報生成手段によって生成された閲覧情報を前記表示装置に送信する閲覧情報送信手段と、を備え、
前記表示装置は、
前記情報処理装置からの前記閲覧情報を受信する閲覧情報受信手段を備え、
前記強調箇所判断情報として、前記閲覧情報受信手段によって受信した閲覧情報を前記強調箇所判断情報記憶手段に記憶することを特徴とする請求項１３記載のプレゼンテーションシステム。
【請求項１５】
文書データによって構成される文書画像の表示内容の概要を作成する文書概要作成装置と、情報処理装置とを備え、前記文書概要作成装置において作成した前記概要データによって構成される画像を前記情報処理装置において表示するプレゼンテーションシステムに適用可能な、前記文書概要作成装置であって、
請求項２乃至請求項９のいずれか１項に記載の文書概要作成装置に、更に、前記概要データ記憶手段によって記憶された前記概要データを、前記情報処理装置に送信する概要データ送信手段を備えたことを特徴とする文書概要作成装置。
【請求項１６】
請求項１１記載の表示装置において、
前記概要データ出力手段は、前記文書データを通信回線を介して情報処理装置に送信可能であると共に、前記概要データ作成手段によって作成された前記概要データを前記通信回線を介して前記情報処理装置に送信可能であり、
前記情報処理装置からの、当該情報処理装置における前記文書画像の表示時間と、これに該当する文書画像情報とを対応付けてなる閲覧情報を受信する閲覧情報受信手段を備え、
前記強調箇所判断情報記憶手段は、前記強調箇所判断情報として、前記閲覧情報受信手段によって受信した閲覧情報を記憶することを特徴とする表示装置。
【請求項１７】
表示装置から送信された文書データを受信する文書データ受信手段と、
前記文書データ受信手段によって受信した文書データによって構成される文書画像を表示する文書画像副表示手段と、
前記表示装置から送信された、前記文書画像の表示内容の概要を構成する概要データを受信する概要データ受信手段と、
前記概要データ受信手段によって受信した前記概要データによって構成される画像を表示する概要画像表示手段と、
前記文書画像副表示手段によって表示された各文書画像の表示時間を計測する表示時間計測手段と、
前記表示時間計測手段によって計測された表示時間の情報と、該当情報に該当する文書画像情報とを対応付けてなる閲覧情報を生成する閲覧情報生成手段と、
前記閲覧情報生成手段によって生成された閲覧情報を前記表示装置に送信する閲覧情報送信手段と、を備えることを特徴とする情報処理装置。
【請求項１８】
文書データによって構成される文書画像を表示部に表示し、当該表示結果を利用してプレゼンテーションを行うシステムにおける、前記文書画像の表示内容の概要を作成するためのプログラムであって、
前記文書データから、前記文書画像の表示内容における強調箇所に該当するデータを抽出する強調箇所抽出ステップと、
前記強調箇所抽出ステップにおける抽出結果に基づき、前記表示内容の概要を構成する概要データを作成する概要データ作成ステップとからなる処理をコンピュータに実行させるためのプログラムを含むことを特徴とする文書概要作成プログラム。
【請求項１９】
文書データによって構成される文書画像を表示部に表示し、当該表示結果を利用してプレゼンテーションを行うシステムにおける、前記文書画像の表示内容の概要を作成するためのプログラムであって、
前記文書データを取得する文書データ取得ステップと、
前記文書データ取得ステップにおいて取得された文書データと、前記文書画像の表示内容における強調箇所を判断するための強調箇所判断情報が記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップとからなる処理をコンピュータに実行させるためのプログラムを含むことを特徴とする文書概要作成プログラム。
【請求項２０】
文書データによって構成される文書画像の表示内容の概要を作成する文書概要作成装置と、情報処理装置とを備え、前記文書概要作成装置において作成した前記概要によって構成される画像を前記情報処理装置において表示するプレゼンテーションシステムに適用可能な、前記文書概要作成装置を制御するためのプログラムであって、
前記文書データを取得する文書データ取得ステップと、
前記文書データ取得ステップにおいて取得した文書データと、前記表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記概要データの記憶された概要データ記憶手段から前記概要データを読み出し、当該読み出した概要データを前記情報処理装置に送信する概要データ送信ステップとからなる処理をコンピュータに実行させるためのプログラムを含むことを特徴とする文書概要作成装置制御プログラム。
【請求項２１】
表示装置を制御するためのプログラムであって、
文書データを取得する文書データ取得ステップと、
前記文書データ取得ステップにおいて取得した文書データと、当該文書データによって構成される文書画像の表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記文書データによって構成される文書画像を表示部に表示する文書画像表示ステップと、
前記文書データを通信回線を介して情報処理装置に送信する一方、前記概要データの記憶された概要データ記憶手段から前記概要データを読み出し、当該読み出した概要データを前記通信回線を介して前記情報処理装置に送信する概要データ出力ステップと、
前記情報処理装置からの、当該情報処理装置における前記文書画像の表示時間と、これに該当する文書画像情報とを対応付けてなる閲覧情報を受信する閲覧情報受信ステップと、
前記強調箇所判断情報として、前記閲覧情報受信ステップにおいて受信した閲覧情報を前記強調箇所判断情報記憶手段に記憶する閲覧情報記憶ステップとからなる処理をコンピュータに実行させるためのプログラムを含むことを特徴とする表示装置制御プログラム。
【請求項２２】
情報処理装置を制御するためのプログラムであって、
表示装置から送信された文書データを受信する文書データ受信ステップと、
前記文書データ受信ステップにおいて受信した文書データによって構成される文書画像を表示する文書画像副表示ステップと、
前記表示装置から送信された前記表示内容の概要を構成する概要データを受信する概要データ受信ステップと、
前記概要データ受信ステップにおいて受信した前記概要データによって構成される画像を表示する概要画像表示ステップと、
前記文書画像副表示ステップにおいて表示された各文書画像の表示時間を計測する表示時間計測ステップと、
前記表示時間計測ステップにおいて計測された表示時間の情報と、当該情報に該当する文書画像情報とを対応付けてなる閲覧情報を生成する閲覧情報生成ステップと、
前記閲覧情報生成ステップにおいて生成された閲覧情報を前記表示装置に送信する閲覧情報送信ステップとからなる処理をコンピュータに実行させるためのプログラムを含むことを特徴とする情報処理装置制御プログラム。
【請求項２３】
文書データによって構成される文書画像を表示部に表示し、当該表示結果を利用してプレゼンテーションを行うシステムにおける、前記文書画像の表示内容の概要を作成する方法であって、
前記文書データから、前記文書画像の表示内容における強調箇所に該当するデータを抽出する強調箇所抽出ステップと、
前記強調箇所抽出ステップにおける抽出結果に基づき、前記表示内容の概要を構成する概要データを作成する概要データ作成ステップと、を含むことを特徴とする文書概要作成方法。
【請求項２４】
文書データによって構成される文書画像を表示部に表示し、当該表示結果を利用してプレゼンテーションを行うシステムにおける、前記文書画像の表示内容の概要を作成する方法であって、
前記文書データを取得する文書データ取得ステップと、
前記文書データ取得ステップにおいて取得された文書データと、前記文書画像の表示内容における強調箇所を判断するための強調箇所判断情報が記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、を含むことを特徴とする文書概要作成方法。
【請求項２５】
文書データによって構成される文書画像の表示内容の概要を作成する文書概要作成装置と、情報処理装置とを備え、前記文書概要作成装置において作成した前記概要によって構成される画像を前記情報処理装置において表示するプレゼンテーションシステムに適用可能な、前記文書概要作成装置を制御するための方法であって、
前記文書データを取得する文書データ取得ステップと、
前記文書データ取得ステップにおいて取得した文書データと、前記表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記概要データの記憶された概要データ記憶手段から概要データを読み出し、当該読み出した概要データを前記情報処理装置に送信する概要データ送信ステップと、を含むことを特徴とする文書概要作成装置制御方法。
【請求項２６】
表示装置を制御するための方法であって、
文書データを取得する文書データ取得ステップと、
前記文書データ取得ステップにおいて取得した文書データと、当該文書データによって構成される文書画像の表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記文書データによって構成される文書画像を表示部に表示する文書画像表示ステップと、
前記文書データを通信回線を介して情報処理装置に送信する一方、前記概要データの記憶された概要データ記憶手段から前記概要データを読み出し、当該読み出した概要データを前記通信回線を介して前記情報処理装置に送信する概要データ出力ステップと、
前記情報処理装置からの、当該情報処理装置における前記文書画像の表示時間と、これに該当する文書画像情報とを対応付けてなる閲覧情報を受信する閲覧情報受信ステップと、
前記強調箇所判断情報として、前記閲覧情報受信ステップにおいて受信した閲覧情報を前記強調箇所判断情報記憶手段に記憶する閲覧情報記憶ステップと、を含むことを特徴とする表示装置制御方法。
【請求項２７】
情報処理装置を制御するための方法であって、
表示装置から送信された文書データを受信する文書データ受信ステップと、
前記文書データ受信ステップにおいて受信した文書データによって構成される文書画像を表示する文書画像副表示ステップと、
前記表示装置から送信された前記表示内容の概要を構成する概要データを受信する概要データ受信ステップと、
前記概要データ受信ステップにおいて受信した前記概要データによって構成される画像を表示する概要画像表示ステップと、
前記文書画像副表示ステップにおいて表示された各文書画像の表示時間を計測する表示時間計測ステップと、
前記表示時間計測ステップにおいて計測された表示時間の情報と、当該情報に該当する文書画像情報とを対応付けてなる閲覧情報を生成する閲覧情報生成ステップと、
前記閲覧情報生成ステップにおいて生成された閲覧情報を前記表示装置に送信する閲覧情報送信ステップと、を含むことを特徴とする情報処理装置制御方法。
【発明の詳細な説明】
【技術分野】
【０００１】
本発明は、文書データによって構成される文書画像を被表示部に表示し、当該表示された文書画像を利用してプレゼンテーションを行うシステムに係り、特に、文書画像の表示内容の概要を作成するのに好適な文書概要作成装置、表示装置、情報処理装置、プレゼンテーションシステム、文書概要作成プログラム、文書概要作成装置制御プログラム、表示装置制御プログラム、情報処理装置制御プログラム、文書概要作成方法、文書概要作成装置制御方法、表示装置制御方法及び情報処理装置制御方法に関する。
【背景技術】
【０００２】
データプロジェクタ等の光投射型表示装置を用いて、新製品の画像や新規プロジェクトのスケジュール表などをスクリーン上に光投射表示して、その表示された画像を聴講者に見せながらプレゼンテーションを行うシステムがある。このようなシステムにおいて、例えば、複数の会社の人間が集まって製品発表を行うような場合は、各社の発表者毎に様々なツールによって作成された表示データを持ちよることになる。そして、各発表者が発表順に従い、光投射型表示装置に接続されたＰＣ等を操作して各自の持ちよった表示データに応じたアプリケーションソフトを起動操作することにより、スクリーン上に表示データに応じた画像が光投射表示される。発表者は、このようにして表示された表示データをマウスカーソルやレーザポインタ等で指しながらプレゼンテーションを進行する。一方、聴講者は、発表が終わった後に、他人（会社の仲間など）への説明や復習のために、発表時に配布された資料を読むことがしばしばある。このような場合に、資料全てを読み直すのでは無く、発表者が意図する重要箇所や聴講者が興味を持った部分など、ポイントを絞り込んで読めることが理想である。しかしながら、重要箇所を抽出したり、この抽出結果をまとめる作業は、発表者ならばともかく、聴講者にとっては容易くないのが現状である。
【０００３】
そこで、従来、文書データの内容を、読み手に容易に把握させるための技術として、特許文献１に記載の文書編集装置、特許文献２に記載の文書処理システムおよびその方法、特許文献３に記載のキーワード自動抽出方法および装置、特許文献４に記載の抄録文編集装置がある。
特許文献１の文書編集装置は、一連の文書を構成する文書データから当該文書を構成する単語あるいは文節を抽出し、抽出した単語あるいは文節に対応する関連キーワードを前記文書データから抽出し、関連キーワードから対応する前記単語あるいは前記文節へリンクを張って前記関連キーワードに対応するハイパーテキストデータを生成するとともに、文書データに対応する単語あるいは文節から対応する関連キーワードへリンクを張って前記文書データに対応する元文書ハイパーテキストデータを生成する。
【０００４】
また、特許文献２の文書処理システムおよびその方法は、読み手の意図、レベル、状況に合わせて文書を再処理、表示する文書処理装置を設けており、ネットワークを介して書き手用端末から読み手用端末に文書が送信される際に、意図を明確にする意図明確化部、意図を解釈する意図解釈部、文書処理基本部、知識ベース、情報ファイル等を用いて、読み手の意図、状況を明確にし、その意図に従って作成済の文書を読み手に適合するように再構成する。
【０００５】
また、特許文献３のキーワード自動抽出方法および装置は、キーワードを抽出するためのデータとなる文書が記録されている文書ファイルと、文字列の出現頻度を計算するＮグラム頻度情報計算部と、文書ファイルの文書に含まれる文字列の重要度を計算する文字列重要度計算部と、文書ファイルから抽出された文字列とその文字列の重要度が記録される文字列重要度テーブルと、文字列重要度テーブルから無意味な文字列を排除しキーワード候補を抽出する文字列選別部と、文字列選別部によって抽出されたキーワード候補が記録されるキーワード候補テーブルとで構成されている。
【０００６】
また、特許文献４の抄録文編集装置は、被編集文章中の特定語句によってその文章特性を判定する。これにより判定不可能であれば、特許文献５に記載された装置によって抄録文を編集した後の重要文の分布状態を解析し、その分布状態にしたがって文章特性を判定する。これら判定された文章特性にしたがって、特許文献５の装置によって抄録文を編集するか、特定語句に対応する抄録文編集を行うようにする。
【特許文献１】特開２００３−５８５２９号公報
【特許文献２】特開平４−２６１１０５号公報
【特許文献３】特開平８−３２０８７３号公報
【特許文献４】特開平１０−３４０２６５号公報
【特許文献５】特開平７−０１３９６７号公報
【発明の開示】
【発明が解決しようとする課題】
【０００７】
しかしながら、上記特許文献１の文書編集装置においては、一連の文書を構成する文書データから文書を構成する単語あるいは文節を抜き出して、その単語あるいは文節の意味を補足するリンクを付加する方法であるため、文書を精読する際には有効な手段であるが、大まかな概要を把握する手法としては利用し難い。同様に、文書の書き手の意図を含んだ概要を生成し、読み手に伝える方法としては適切であるとは言い難い。
【０００８】
また、上記特許文献２の文書処理システムおよびその方法においては、文書の要約を作成する方法として、読み手ごとに、それぞれ興味ある分野のキーワードを登録しておき、入力された自然言語の中に当該キーワードが含まれているか否かを判定し、当該判定結果に基づき要約の作成を行ったり、予め指定したキーワードと類義語辞書を利用して、類義語判定を行い、当該判定結果に基づき要約の作成を行ったりするため、これらの手法では、書き手は、常に文書を作成する際に、単語や文章に対して、「意図」の意味付けをする必要がある。また、読み手の「意図」や、読み手が指定したキーワードで文書を再構成するので、必ずしも書き手の意図が読み手に伝わらないといった問題点がある。
【０００９】
また、上記特許文献３のキーワード自動抽出方法および装置においては、キーワードの重要度がキーワードの出現頻度と高い相関がある場合には有効な手法であるが、相関がない場合には、まったく意味のない要約が作成される可能性がある。
また、上記特許文献４の抄録文編集装置においては、キーワードに依存して、抄録文を生成するため、読み手が適切なキーワードを認知してない場合には、意味のある抄録文を生成することができない。
【００１０】
そこで、本発明は、このような従来の技術の有する未解決の課題に着目してなされたものであって、文書データによって構成される文書画像を被表示部に表示し、当該表示された文書画像を利用してプレゼンテーションを行うシステムにおける、前記文書画像の表示内容の概要を作成するのに好適な文書概要作成装置、表示装置、情報処理装置、プレゼンテーションシステム、文書概要作成プログラム、文書概要作成装置制御プログラム、表示装置制御プログラム、情報処理装置制御プログラム、文書概要作成方法、文書概要作成装置制御方法、表示装置制御方法及び情報処理装置制御方法を提供することを目的としている。
【課題を解決するための手段】
【００１１】
〔発明１〕  上記目的を達成するために、発明１の文書概要作成装置は、
文書データによって構成される文書画像を表示部に表示し、当該表示結果を利用してプレゼンテーションを行うシステムにおける、前記文書画像の表示内容の概要を作成する装置であって、
前記文書データから、前記文書画像の表示内容における強調箇所に該当するデータを抽出する強調箇所抽出手段と、
前記強調箇所抽出手段の抽出結果に基づき、前記表示内容の概要を構成する概要データを作成する概要データ作成手段と、
前記概要データ作成手段によって作成された前記概要データを記憶する概要データ記憶手段と、を備えることを特徴としている。
【００１２】
このような構成であれば、強調箇所抽出手段によって、前記文書データから、前記文書画像の表示内容における強調箇所に該当するデータが抽出される。強調箇所に該当するデータが抽出されると、概要データ作成手段によって、強調箇所抽出手段の抽出結果に基づき、前記表示内容の概要を構成する概要データが作成される。そして、作成された概要データは、概要データ記憶手段に記憶される。
【００１３】
従って、プレゼンテーションシステムにおける、文書画像の表示内容に含まれる強調箇所を抽出して表示内容の概要を作成するようにしたので、プレゼンテーション発表者の意図する内容部分が抽出されやすく、このような内容により概要が作成されるので、プレゼンテーション発表者の意図する内容部分を中心とした概要を作成することができるという効果が得られる。
【００１４】
ここで、文書データは、文字情報、画像情報、文字や画像のパレット情報、文書や画像のレイアウト情報（レイアウトテンプレート情報）などから構成される。つまり、文書データとしては、ワープロソフト等で作成された文書データ等が含まれる。また、文書データの中には文字情報のみで構成されるものもある。以下、発明２の文書概要作成装置、発明１７及び１８の文書概要作成プログラム、並びに発明３０及び３１の文書概要作成方法において同じである。
【００１５】
また、強調箇所とは、例えば、文字のサイズ、色、形状、装飾等に加え、特定の単語、特定の記号などの文書中の文字に係わる箇所の他、画像のサイズ、色、形状等の文書中の画像に係わる箇所、文書画像の表示状態から導出される箇所、発表者の行動や言動から導出される箇所、聴講者の文書画像の閲覧状態から導出される箇所などであり、プレゼンテーションに用いる文書データに特有の条件から判断される。以下、発明２の文書概要作成装置、発明１７及び１８の文書概要作成プログラム、並びに発明３０及び３１の文書概要作成方法において同じである。
【００１６】
〔発明２〕  一方、上記目的を達成するために、本発明に係る発明２の文書概要作成装置は、
文書データによって構成される文書画像を表示部に表示し、当該表示結果を利用してプレゼンテーションを行うシステムにおける、前記文書画像の表示内容の概要を作成する装置であって、
前記文書画像の表示内容における強調箇所を判断するための強調箇所判断情報を記憶する強調箇所判断情報記憶手段と、
前記文書データを取得する文書データ取得手段と、
前記文書データ取得手段によって取得された文書データと、前記強調箇所判断情報記憶手段に記憶された強調箇所判断情報とに基づき、前記文書データから前記強調箇所に該当するデータを抽出する強調箇所抽出手段と、
前記強調箇所抽出手段の抽出結果に基づき、前記表示内容の概要を構成する概要データを作成する概要データ作成手段と、
前記概要データ作成手段によって作成された前記概要データを記憶する概要データ記憶手段と、を備えることを特徴としている。
【００１７】
このような構成であれば、文書画像の表示内容における強調箇所を判断するための強調箇所判断情報が強調箇所判断情報記憶手段に記憶される。文書データ取得手段によって、文書データが取得される。文書データが取得されると、強調箇所抽出手段によって、文書データ取得手段によって取得された文書データと、強調箇所判断情報記憶手段に記憶された強調箇所判断情報とに基づき、文書データから強調箇所に該当するデータが抽出される。強調箇所に該当するデータが抽出されると、概要データ作成手段によって、強調箇所抽出手段の抽出結果に基づき、前記表示内容の概要を構成する概要データが作成される。そして、作成された概要データは、概要データ記憶手段に記憶される。
【００１８】
従って、プレゼンテーションシステムにおける、文書画像の表示内容に含まれる強調箇所を抽出して表示内容の概要を作成するようにしたので、プレゼンテーション発表者の意図する内容部分が抽出されやすく、このような内容により概要が作成されるので、プレゼンテーション発表者の意図する内容部分を中心とした概要を作成することができるという効果が得られる。
【００１９】
〔発明３〕  更に、発明３の文書概要作成装置は、発明２の文書概要作成装置において、
前記強調箇所判断情報は、文字画像に係る表示内容に対する前記強調箇所の判断基準を示す情報を含むことを特徴としている。
このような構成であれば、文字画像に係る表示内容に対する前記強調箇所の判断基準を示す情報によって、文書画像の表示内容における強調箇所を抽出することができる。
【００２０】
従って、文字のサイズ、色、形状、装飾等に加え、特定の単語、特定の記号などの文書中の文字に係わる強調箇所を抽出して概要を作成することができるという効果が得られる。
【００２１】
〔発明４〕  更に、発明４の文書概要作成装置は、発明２又は３の文書概要作成装置において、
前記文書データによる各表示内容毎の前記表示部への表示時間を取得する表示時間取得手段を備え、
前記強調箇所判断情報として、前記表示時間取得手段によって取得された表示時間と、これに該当する表示内容の情報とを対応付けて前記強調箇所判断情報記憶手段に記憶することを特徴としている。
【００２２】
このような構成であれば、表示時間取得手段によって、文書データによる各表示内容毎の前記表示部への表示時間が取得される。表示時間が取得されると、当該表示時間と、これに対応する表示内容とが対応付けられて強調箇所判断情報記憶手段に記憶される。
従って、例えば、表示時間の長い表示内容ほど強調されていると判断するなど、表示時間を考慮して表示内容における強調箇所を判断するようにしたので、発表者の意図する表示内容を強調箇所として抽出しやすくなる。これにより、発表者の意図する内容を中心とした概要を作成し易いという効果が得られる。
【００２３】
〔発明５〕  更に、発明５の文書概要作成装置は、発明２乃至４のいずれか１の文書概要作成装置において、
前記表示部に表示された表示結果の任意箇所を指し示すことが可能な指示手段によって、前記任意箇所を指し示した際の指示軌跡を取得する指示軌跡取得手段を備え、
前記強調箇所判断情報として、前記指示軌跡取得手段によって取得された指示軌跡と、これに該当する表示箇所とを対応付けて前記強調箇所判断情報記憶手段に記憶することを特徴としている。
【００２４】
このような構成であれば、指示軌跡取得手段によって、例えば、プレゼンテーションの発表者が、表示部に表示された表示結果の任意箇所を指し示すことが可能な指示手段によって、前記任意箇所を指し示した際の指示軌跡が取得される。指示軌跡が取得されると、当該指示軌跡と、これに該当する表示箇所とが対応付けられて強調箇所判断情報記憶手段に記憶される。
【００２５】
従って、例えば、指示軌跡がなぞった箇所を強調箇所と判断するなど、指示軌跡の形状や指示位置等を考慮して強調箇所を判断するようにしたので、発表者の意図する表示内容を強調箇所として抽出しやすくなる。これにより、発表者の意図する内容を中心とした概要を作成し易いという効果が得られる。
ここで、指示手段は、指示棒、レーザポインタ、マウス等であり、表示部に表示された表示内容の任意の箇所を発表者等が指し示すことができる手段である。以下、発明２１の文書概要作成プログラム、及び発明３４の文書概要作成方法において同じである。
【００２６】
また、指示軌跡とは、指示棒の先端、レーザポインタの光点、マウス操作に追従して動くマウスカーソルなどの位置情報から構成されるものである。指示棒やレーザポインタであれば、その指示地点を撮影して入手される情報であり、マウスカーソルであれば、マウスの接続されたＰＣ等の情報処理機器において、文書画像におけるマウスカーソル位置の座標情報として入手できる。以下、発明２１の文書概要作成プログラム、及び発明３４の文書概要作成方法において同じである。
【００２７】
〔発明６〕  更に、発明６の文書概要作成装置は、発明２乃至５のいずれか１の文書概要作成装置において、
音声のデータを取得する音声データ取得手段を備え、
前記強調箇所判断情報として、前記プレゼンテーション中において、前記音声データ取得手段によって取得された音声のデータと、これに該当する表示箇所とを対応付けて前記強調箇所判断情報記憶手段に記憶することを特徴としている。
【００２８】
このような構成であれば、音声データ取得手段によって、例えば、プレゼンテーションの発表者が、当該プレゼンテーション中に発声した音声のデータが取得される。音声のデータが取得されると、当該音声のデータと、これに該当する表示箇所とが対応付けられて強調箇所判断情報記憶手段に記憶される。}
従って、例えば、発表者の発言の中で、繰り返した回数の多い文言や、抑揚に変化のあった文言など、発表者のプレゼンテーション中の発声内容を考慮して表示内容における強調箇所を判断するようにしたので、発表者の意図する表示内容を強調箇所として抽出しやすくなる。これにより、発表者の意図する内容を中心とした概要を作成し易いという効果が得られる。
【００２９】
〔発明７〕  更に、発明７の文書概要作成装置は、発明６の文書概要作成装置において、
前記強調箇所抽出手段は、前記音声データから導出される音の高さを示す数値が所定値以上の場合に、その音声データに対応する表示箇所のデータを、強調箇所と判断して前記文書データから抽出することを特徴としている。
【００３０】
このような構成であれば、強調箇所抽出手段によって、音声データから導出される音の高さを示す数値が所定値以上の場合に、その音声データに対応する表示箇所のデータが、強調箇所と判断されて文書データから抽出される。
従って、音声データにおける音の高さを考慮して表示内容のおける強調箇所を判断することができるという効果が得られる。例えば、他の箇所より声の高くなった箇所の内容は、発表者が強調したい内容であると判断する。
【００３１】
〔発明８〕  更に、発明８の文書概要作成装置は、発明２乃至７のいずれか１の文書概要作成装置において、
前記概要の構成に係る作成条件を設定する作成条件設定手段を備え、
前記概要データ作成手段は、前記強調箇所抽出手段の抽出結果と、前記作成条件とに基づき、当該作成条件に応じた構成の前記概要データを作成することを特徴としている。
【００３２】
このような構成であれば、作成条件設定手段によって、概要の構成に係る作成条件が設定される。作成条件が設定されると、概要データ作成手段によって、強調箇所抽出手段の抽出結果と、作成条件とに基づき、当該作成条件に応じた構成の概要データが作成される。
従って、例えば、概要に文書データの表紙ページを含める、概要の総枚数を設定枚数以内にするといったように、概要の構成に係る条件を作成条件として設定し、設定された作成条件に応じた構成の概要を作成するようにしたので、概要作成者の意図する構成の概要を作成できるという効果が得られる。
【００３３】
〔発明９〕  更に、発明９の文書概要作成装置は、発明２乃至８のいずれか１の文書概要作成装置において、
前記強調箇所判断情報の適用条件を設定する適用条件設定手段を備え、
前記強調箇所抽出手段は、前記文書データと、前記適用条件に応じた前記強調箇所判断情報とに基づき、前記文書データから前記強調箇所に該当するデータを抽出することを特徴としている。
【００３４】
このような構成であれば、適用条件設定手段によって、強調箇所判断情報の適用条件が設定される。適用条件が設定されると、強調箇所抽出手段によって、文書データと、適用条件に応じた強調箇所判断情報とに基づき、文書データから強調箇所に該当するデータが抽出される。
従って、例えば、文字の設定種類によって強調箇所を判断する場合などに、強調箇所として判断する設定種類毎にレベルを設定し、このレベルの閾値を適用条件として設定することで、閾値以上のレベルの設定種類を強調箇所として判断して抽出するといったことが可能となる。つまり、設定された適用条件に応じて強調箇所判断情報の適用内容を変更するようにしたので、概要作成者の意図する構成の概要を作成し易くできるという効果が得られる。
【００３５】
〔発明１０〕  更に、発明１０の文書概要作成装置は、発明２乃至９のいずれか１の文書概要作成装置において、
副表示部と、
前記概要データ記憶手段に記憶された概要データによって構成される画像を前記副表示部に表示する概要画像表示手段を備えることを特徴としている。
【００３６】
このような構成であれば、概要画像表示手段によって、概要データ記憶手段によって記憶された概要データによって構成される画像が副表示部に表示される。
従って、作成された概要を手元の副表示部に表示してすぐに確認することができるという効果が得られる。
〔発明１１〕  一方、上記目的を達成するために、発明１１の表示装置は、
発明２乃至９のいずれか１の文書概要作成装置と、
前記文書データによって構成される文書画像を前記表示部に表示する文書画像表示手段と、前記文書概要作成装置によって作成された前記概要データを外部機器に出力する概要データ出力手段と、を備えることを特徴としている。
【００３７】
このような構成であれば、文書画像表示手段によって、文書データによって構成される文書画像が前記表示部に表示される。一方、概要データ出力手段によって、前記文書概要作成装置によって作成された前記概要データが外部機器に出力される。
従って、プレゼンテーションシステムにおける、プロジェクタ等の表示装置に文書概要作成装置の機能を含ませることができるという効果が得られる。
【００３８】
〔発明１２〕  一方、上記目的を達成するために、発明１２のプレゼンテーションシステムは、
表示装置と、発明２乃至９のいずれか１の文書概要作成装置と、情報処理装置とを備え、
前記文書概要作成装置と、前記情報処理装置とを通信回線を介して互いにデータ通信可能に接続し、
前記表示装置は、前記表示データによって構成される文書画像を表示部に表示する文書画像表示手段を備え、
前記文書概要作成装置は、前記概要データ記憶手段に記憶された前記概要データを、前記情報処理装置に送信する概要データ送信手段を備え、
前記情報処理装置は、前記文書概要作成装置から送信された前記概要データを受信する概要データ受信手段と、当該概要データ受信手段によって受信した前記概要データによって構成される画像を表示する概要画像表示手段と、を備えることを特徴としている。
【００３９】
このような構成であれば、表示装置における文書画像表示手段によって、表示データによって構成される文書画像が表示部に表示される。文書概要作成装置における概要データ送信手段によって、概要データ記憶手段に記憶された前記概要データが、前記情報処理装置に送信される。概要データが送信されると、情報処理装置における概要データ受信手段によって、文書概要作成装置から送信された前記概要データが受信される。そして、情報処理装置における概要画像表示手段によって、概要データ受信手段によって受信した前記概要データによって構成される画像が表示される。
【００４０】
従って、発明２乃至９のいずれか１の文書概要作成装置で作成された概要を、外部機器である情報処理装置において閲覧できるようにしたので、例えば、本システムを利用してプレゼンテーションを行うことで、プレゼンテーションが終了した後に文書概要作成装置で概要データを作成し、当該作成した概要データを聴講者の有する情報処理装置に送信することで、聴講者は作成した概要を手元の情報処理装置で閲覧することができる。これにより、聴講者は、プレゼンテーション後に、すぐに概要を見て、プレゼンテーション内容の復習をしたり、内容の理解を深めたりすることができるという効果が得られる。
【００４１】
〔発明１３〕  一方、上記目的を達成するために、発明１３のプレゼンテーションシステムは、
発明１１の表示装置と、情報処理装置とを備え、
前記表示装置と、前記情報処理装置とを通信回線を介して互いにデータ通信可能に接続し、
前記表示装置における、前記概要データ出力手段は、前記文書データを前記通信回線を介して前記情報処理装置に送信可能であると共に、前記概要データ作成手段によって作成された前記概要データを前記通信回線を介して前記情報処理装置に送信可能であり、
前記情報処理装置は、
前記表示装置から送信された文書データを受信する文書データ受信手段と、
前記文書データ受信手段によって受信した文書データによって構成される文書画像を表示する文書画像副表示手段と、
前記表示装置から送信された前記概要データを受信する概要データ受信手段と、
前記概要データ受信手段によって受信した前記概要データによって構成される画像を表示する概要画像表示手段と、を備えることを特徴としている。
【００４２】
このような構成であれば、表示装置における概要データ出力手段によって、文書データを通信回線を介して情報処理装置に送信可能であると共に、概要データ作成手段によって作成された概要データを通信回線を介して情報処理装置に送信可能である。
また、情報処理装置における、文書データ受信手段によって、表示装置から送信された文書データが受信され、文書画像副表示手段によって、文書データ受信手段によって受信した文書データによって構成される文書画像が表示される。一方、情報処理装置における、概要データ受信手段によって、表示装置から送信された概要データが受信され、概要画像表示手段によって、概要データ受信手段によって受信した前記概要データによって構成される画像が表示される。
【００４３】
従って、発明１１の表示装置で作成された概要を、外部機器である情報処理装置において閲覧できるようにしたので、例えば、本システムを利用してプレゼンテーションを行うことで、プレゼンテーションが終了した後に文書概要作成装置で概要データを作成し、当該作成した概要データを聴講者の有する情報処理装置に送信することで、聴講者は作成した概要を手元の情報処理装置で閲覧することができる。これにより、聴講者は、プレゼンテーション後に、すぐに概要を見て、プレゼンテーション内容の復習をしたり、内容の理解を深めたりすることができるという効果が得られる。
【００４４】
〔発明１４〕  更に、発明１４のプレゼンテーションシステムは、発明１３のプレゼンテーションシステムにおいて、
前記情報処理装置は、
前記文書画像副表示手段によって表示された各文書画像の表示時間を計測する表示時間計測手段と、
前記表示時間計測手段によって計測された表示時間の情報と、これに該当する文書画像情報とを対応付けてなる閲覧情報を生成する閲覧情報生成手段と、
前記閲覧情報生成手段によって生成された閲覧情報を前記表示装置に送信する閲覧情報送信手段と、を備え、
前記表示装置は、
前記情報処理装置からの前記閲覧情報を受信する閲覧情報受信手段を備え、
前記強調箇所判断情報として、前記閲覧情報受信手段によって受信した閲覧情報を前記強調箇所判断情報記憶手段に記憶することを特徴としている。
【００４５】
このような構成であれば、情報処理装置における、表示時間計測手段によって、文書画像副表示手段によって表示された各文書画像の表示時間が計測され、閲覧情報生成手段によって、表示時間計測手段によって計測された表示時間の情報と、これに該当する文書画像情報とを対応付けてなる閲覧情報が生成され、閲覧情報送信手段によって、閲覧情報生成手段によって生成された閲覧情報が前記表示装置に送信される。
【００４６】
また、表示装置における閲覧情報受信手段によって、情報処理装置からの前記閲覧情報が受信される。表示装置は、閲覧情報が受信されると、当該受信した閲覧情報を、強調箇所判断情報として、前記強調箇所判断情報記憶手段に記憶する。
従って、プレゼンテーションの聴講者が情報処理装置を備えている場合に、聴講者側が表示部に表示された内容を手元の装置で閲覧した時間を測定して、この閲覧時間と表示内容とを対応付けた閲覧情報を生成し、この閲覧情報を強調箇所判断情報として用いるようにしたので、例えば、閲覧時間の長い表示内容ほど強調されていると判断するなど、聴講者の閲覧時間を考慮して表示内容における強調箇所を判断するようにしたので、聴講者の意図する表示内容を強調箇所として抽出し概要を作成することができるので、他の聴講者の注目している箇所を把握することができるという効果が得られる。
【００４７】
〔発明１５〕  一方、上記目的を達成するために、発明１５の文書概要作成装置は、
文書データによって構成される文書画像の表示内容の概要を作成する文書概要作成装置と、情報処理装置とを備え、前記文書概要作成装置において作成した前記概要データによって構成される画像を前記情報処理装置において表示するプレゼンテーションシステムに適用可能な、前記文書概要作成装置であって、
発明２乃至９のいずれか１の文書概要作成装置に、更に、前記概要データ記憶手段によって記憶された前記概要データを、前記情報処理装置に送信する概要データ送信手段を備えたことを特徴としている。
本発明は、発明１２のプレゼンテーションシステムにおける文書概要作成装置であり、発明１２のプレゼンテーションシステムと同等の作用効果が得られる。
【００４８】
〔発明１６〕  一方、上記目的を達成するために、発明１６の表示装置は、
請求項１１記載の表示装置において、
前記概要データ出力手段は、前記文書データを通信回線を介して情報処理装置に送信可能であると共に、前記概要データ作成手段によって作成された前記概要データを前記通信回線を介して前記情報処理装置に送信可能であり、
前記情報処理装置からの、当該情報処理装置における前記文書画像の表示時間と、これに該当する文書画像情報とを対応付けてなる閲覧情報を受信する閲覧情報受信手段を備え、
前記強調箇所判断情報記憶手段は、前記強調箇所判断情報として、前記閲覧情報受信手段によって受信した閲覧情報を記憶することを特徴としている。
本発明は、発明１４のプレゼンテーションシステムにおける表示装置であり、発明１４のプレゼンテーションシステムと同等の作用効果が得られる。
【００４９】
〔発明１７〕  一方、上記目的を達成するために、発明１７の情報処理装置は、
表示装置から送信された文書データを受信する文書データ受信手段と、
前記文書データ受信手段によって受信した文書データによって構成される文書画像を表示する文書画像副表示手段と、
前記表示装置から送信された、前記文書画像の表示内容の概要を構成する概要データを受信する概要データ受信手段と、
前記概要データ受信手段によって受信した前記概要データによって構成される画像を表示する概要画像表示手段と、
前記文書画像副表示手段によって表示された各文書画像の表示時間を計測する表示時間計測手段と、
前記表示時間計測手段によって計測された表示時間の情報と、該当情報に該当する文書画像情報とを対応付けてなる閲覧情報を生成する閲覧情報生成手段と、
前記閲覧情報生成手段によって生成された閲覧情報を前記表示装置に送信する閲覧情報送信手段と、を備えることを特徴としている。
本発明は、発明１４のプレゼンテーションシステムにおける情報処理装置であり、発明１４のプレゼンテーションシステムと同等の作用効果が得られる。
【００５０】
〔発明１８〕  一方、上記目的を達成するために、発明１８の文書概要作成プログラムは、
文書データによって構成される文書画像を表示部に表示し、当該表示結果を利用してプレゼンテーションを行うシステムにおける、前記文書画像の表示内容の概要を作成するためのプログラムであって、
前記文書データから、前記文書画像の表示内容における強調箇所に該当するデータを抽出する強調箇所抽出ステップと、
前記強調箇所抽出ステップにおける抽出結果に基づき、前記表示内容の概要を構成する概要データを作成する概要データ作成ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明１の文書概要作成装置と同等の作用および効果が得られる。
【００５１】
〔発明１９〕  一方、上記目的を達成するために、発明１９の文書概要作成プログラムは、
文書データによって構成される文書画像を表示部に表示し、当該表示結果を利用してプレゼンテーションを行うシステムにおける、前記文書画像の表示内容の概要を作成するためのプログラムであって、
前記文書データを取得する文書データ取得ステップと、
前記文書データ取得ステップにおいて取得された文書データと、前記文書画像の表示内容における強調箇所を判断するための強調箇所判断情報が記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明２の文書概要作成装置と同等の作用および効果が得られる。
【００５２】
〔発明２０〕  更に、発明２０の文書概要作成プログラムは、発明１９の文書概要作成プログラムにおいて、
前記強調箇所判断情報は、文字画像に係る表示内容に対する前記強調箇所の判断基準を示す情報を含むことを特徴としている。
このような構成であれば、コンピュータによってプログラムが読み取られ、読み取られたプログラムに従ってコンピュータが処理を実行すると、発明３の文書概要作成装置と同等の作用および効果が得られる。
【００５３】
〔発明２１〕  更に、発明２１の文書概要作成プログラムは、発明１９又は２０の文書概要作成プログラムにおいて、
前記文書データによる各表示内容毎の前記表示部への表示時間を取得する表示時間取得ステップと、
前記強調箇所判断情報として、前記表示時間取得ステップにおいて取得された表示時間と、これに該当する表示内容の情報とを対応付けて強調箇所判断情報記憶手段に記憶する強調箇所判断情報記憶ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明４の文書概要作成装置と同等の作用および効果が得られる。
【００５４】
〔発明２２〕  更に、発明２１の文書概要作成プログラムは、発明１９乃至２１のいずれか１の文書概要作成プログラムにおいて、
前記表示部に表示された表示結果の任意箇所を指し示すことが可能な指示手段によって、前記任意箇所を指し示した際の指示軌跡を取得する指示軌跡取得ステップと、
前記強調箇所判断情報として、前記指示軌跡取得ステップにおいて取得された指示軌跡と、これに該当する表示箇所とを対応付けて前記強調箇所判断情報記憶手段に記憶する強調箇所判断情報記憶ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明５の文書概要作成装置と同等の作用および効果が得られる。
【００５５】
〔発明２３〕  更に、発明２３の文書概要作成プログラムは、発明１９乃至２２のいずれか１の文書概要作成プログラムにおいて、
音声のデータを取得する音声データ取得ステップと、
前記強調箇所判断情報として、前記プレゼンテーション中において、前記音声データ取得ステップにおいて取得された音声のデータと、これに該当する表示箇所とを対応付けて前記強調箇所判断情報記憶手段に記憶する強調箇所判断情報記憶ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明６の文書概要作成装置と同等の作用および効果が得られる。
【００５６】
〔発明２４〕  更に、発明２４の文書概要作成プログラムは、発明２３の文書概要作成プログラムにおいて、
前記強調箇所抽出ステップにおいては、前記音声データから導出される音の高さを示す数値が所定値以上の場合に、その音声データに対応する表示箇所のデータを、強調箇所と判断して前記文書データから抽出することを特徴としている。
このような構成であれば、コンピュータによってプログラムが読み取られ、読み取られたプログラムに従ってコンピュータが処理を実行すると、発明７の文書概要作成装置と同等の作用および効果が得られる。
【００５７】
〔発明２５〕  更に、発明２５の文書概要作成プログラムは、発明１９乃至２４のいずれか１の文書概要作成プログラムにおいて、
前記概要の構成に係る作成条件を設定する作成条件設定ステップをコンピュータに実行させるためのプログラムを含み、
前記概要データ作成ステップにおいては、前記強調箇所抽出ステップにおける抽出結果と、前記作成条件とに基づき、当該作成条件に応じた構成の前記概要データを作成することを特徴としている。
このような構成であれば、コンピュータによってプログラムが読み取られ、読み取られたプログラムに従ってコンピュータが処理を実行すると、発明８の文書概要作成装置と同等の作用および効果が得られる。
【００５８】
〔発明２６〕  更に、発明２６の文書概要作成プログラムは、発明１９乃至２５のいずれか１の文書概要作成プログラムにおいて、
前記強調箇所判断情報の適用条件を設定する適用条件設定ステップをコンピュータに実行させるためのプログラムを含み、
前記強調箇所抽出ステップにおいては、前記文書データと、前記適用条件に応じた前記強調箇所判断情報とに基づき、前記文書データから前記強調箇所に該当するデータを抽出することを特徴としている。
このような構成であれば、コンピュータによってプログラムが読み取られ、読み取られたプログラムに従ってコンピュータが処理を実行すると、発明９の文書概要作成装置と同等の作用および効果が得られる。
【００５９】
〔発明２７〕  更に、発明２７の文書概要作成プログラムは、発明１９乃至２６のいずれか１の文書概要作成プログラムにおいて、
前記概要データ記憶手段に記憶された概要データによって構成される画像を副表示部に表示する概要画像表示ステップをコンピュータに実行させるためのプログラムを含むことを特徴としている。
このような構成であれば、コンピュータによってプログラムが読み取られ、読み取られたプログラムに従ってコンピュータが処理を実行すると、発明１０の文書概要作成装置と同等の作用および効果が得られる。
【００６０】
〔発明２８〕  一方、上記目的を達成するために、発明２８の表示装置制御プログラムは、
発明１９乃至２６のいずれか１の文書概要作成プログラムと、
前記文書データによって構成される文書画像を被表示部に表示する文書画像表示ステップと、
前記文書概要作成装置によって作成された前記概要データを外部機器に出力する概要データ出力ステップとからなる処理をコンピュータに実行させるためのプログラムと、を含むことを特徴としている。
このような構成であれば、コンピュータによってプログラムが読み取られ、読み取られたプログラムに従ってコンピュータが処理を実行すると、発明１１の表示装置と同等の作用および効果が得られる。
【００６１】
〔発明２９〕  一方、上記目的を達成するために、発明２９の文書概要作成装置制御プログラムは、
文書データによって構成される文書画像の表示内容の概要を作成する文書概要作成装置と、情報処理装置とを備え、前記文書概要作成装置において作成した前記概要によって構成される画像を前記情報処理装置において表示するプレゼンテーションシステムに適用可能な、前記文書概要作成装置を制御するためのプログラムであって、
前記文書データを取得する文書データ取得ステップと、
前記文書データ取得ステップにおいて取得した文書データと、前記表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記概要データの記憶された概要データ記憶手段から前記概要データを読み出し、当該読み出した概要データを前記情報処理装置に送信する概要データ送信ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明１２のプレゼンテーションシステムと同等の作用および効果が得られる。
【００６２】
〔発明３０〕  一方、上記目的を達成するために、発明３０の表示装置制御プログラムは、
表示装置を制御するためのプログラムであって、
文書データを取得する文書データ取得ステップと、
前記文書データ取得ステップにおいて取得した文書データと、当該文書データによって構成される文書画像の表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記文書データによって構成される文書画像を表示部に表示する文書画像表示ステップと、
前記文書データを通信回線を介して情報処理装置に送信する一方、前記概要データの記憶された概要データ記憶手段から前記概要データを読み出し、当該読み出した概要データを前記通信回線を介して前記情報処理装置に送信する概要データ出力ステップと、
前記情報処理装置からの、当該情報処理装置における前記文書画像の表示時間と、これに該当する文書画像情報とを対応付けてなる閲覧情報を受信する閲覧情報受信ステップと、
前記強調箇所判断情報として、前記閲覧情報受信ステップにおいて受信した閲覧情報を前記強調箇所判断情報記憶手段に記憶する閲覧情報記憶ステップとからなる処理をコンピュータに実行させるためのプログラムを含むことを特徴とする表示装置制御プログラム。
このような構成であれば、コンピュータによってプログラムが読み取られ、読み取られたプログラムに従ってコンピュータが処理を実行すると、発明１４のプレゼンテーションシステムと同等の作用および効果が得られる。
【００６３】
〔発明３１〕  一方、上記目的を達成するために、発明３１の情報処理装置制御プログラムは、
情報処理装置を制御するためのプログラムであって、
表示装置から送信された文書データを受信する文書データ受信ステップと、
前記文書データ受信ステップにおいて受信した文書データによって構成される文書画像を表示する文書画像副表示ステップと、
前記表示装置から送信された前記表示内容の概要を構成する概要データを受信する概要データ受信ステップと、
前記概要データ受信ステップにおいて受信した前記概要データによって構成される画像を表示する概要画像表示ステップと、
前記文書画像副表示ステップにおいて表示された各文書画像の表示時間を計測する表示時間計測ステップと、
前記表示時間計測ステップにおいて計測された表示時間の情報と、当該情報に該当する文書画像情報とを対応付けてなる閲覧情報を生成する閲覧情報生成ステップと、
前記閲覧情報生成ステップにおいて生成された閲覧情報を前記表示装置に送信する閲覧情報送信ステップとからなる処理をコンピュータに実行させるためのプログラムを含むことを特徴としている。
このような構成であれば、コンピュータによってプログラムが読み取られ、読み取られたプログラムに従ってコンピュータが処理を実行すると、発明１４のプレゼンテーションシステムと同等の作用および効果が得られる。
【００６４】
〔発明３２〕  一方、上記目的を達成するために、発明３２の文書概要作成方法は、
文書データによって構成される文書画像を表示部に表示し、当該表示結果を利用してプレゼンテーションを行うシステムにおける、前記文書画像の表示内容の概要を作成する方法であって、
前記文書データから、前記文書画像の表示内容における強調箇所に該当するデータを抽出する強調箇所抽出ステップと、
前記強調箇所抽出ステップにおける抽出結果に基づき、前記表示内容の概要を構成する概要データを作成する概要データ作成ステップと、を含むことを特徴としている。
これにより、発明１の文書概要作成装置と同等の効果が得られる。
【００６５】
〔発明３３〕  一方、上記目的を達成するために、発明３３の文書概要作成方法は、
文書データによって構成される文書画像を表示部に表示し、当該表示結果を利用してプレゼンテーションを行うシステムにおける、前記文書画像の表示内容の概要を作成する方法であって、
前記文書データを取得する文書データ取得ステップと、
前記文書データ取得ステップにおいて取得された文書データと、前記文書画像の表示内容における強調箇所を判断するための強調箇所判断情報が記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、を含むことを特徴としている。
これにより、発明２の文書概要作成装置と同等の効果が得られる。
【００６６】
〔発明３４〕  更に、発明３４の文書概要作成方法は、発明３３の文書概要作成方法において、
前記強調箇所判断情報は、文字画像に係る表示内容に対する前記強調箇所の判断基準を示す情報を含むことを特徴としている。
これにより、発明３の文書概要作成装置と同等の効果が得られる。
【００６７】
〔発明３５〕  更に、発明３５の文書概要作成方法は、発明３３又は３４の文書概要作成方法において、
前記文書データによる各表示内容毎の前記表示部への表示時間を取得する表示時間取得ステップと、
前記強調箇所判断情報として、前記表示時間取得ステップにおいて取得された表示時間と、これに該当する表示内容の情報とを対応付けて前記強調箇所判断情報記憶手段に記憶する強調箇所判断情報記憶ステップと、を含むことを特徴としている。
これにより、発明４の文書概要作成装置と同等の効果が得られる。
【００６８】
〔発明３６〕  更に、発明３６の文書概要作成方法は、発明３３乃至３５のいずれか１の文書概要作成方法において、
前記表示部に表示された表示結果の任意箇所を指し示すことが可能な指示手段によって、前記任意箇所を指し示した際の指示軌跡を取得する指示軌跡取得ステップを含み、
前記強調箇所判断情報記憶ステップにおいては、前記強調箇所判断情報として、前記指示軌跡取得ステップにおいて取得された指示軌跡と、これに該当する表示箇所とを対応付けて前記強調箇所判断情報記憶手段に記憶する強調箇所判断情報記憶ステップと、を含むことを特徴としている。
【００６９】
これにより、発明５の文書概要作成装置と同等の効果が得られる。
〔発明３７〕  更に、発明３７の文書概要作成方法は、発明３３乃至３６のいずれか１の文書概要作成方法において、
音声のデータを取得する音声データ取得ステップと、
前記強調箇所判断情報として、前記プレゼンテーション中において、前記音声データ取得ステップにおいて取得された音声のデータと、これに該当する表示箇所とを対応付けて前記強調箇所判断情報記憶手段に記憶する強調箇所判断情報記憶ステップと、を含むことを特徴としている。
【００７０】
これにより、発明６の文書概要作成装置と同等の効果が得られる。
〔発明３８〕  更に、発明３８の文書概要作成方法は、発明３７の文書概要作成方法において、
前記強調箇所抽出ステップにおいては、前記音声データから導出される音の高さを示す数値が所定値以上の場合に、その音声データに対応する表示箇所のデータを、強調箇所と判断して前記文書データから抽出することを特徴としている。
これにより、発明７の文書概要作成装置と同等の効果が得られる。
【００７１】
〔発明３９〕  更に、発明３９の文書概要作成方法は、発明３３乃至３８のいずれか１の文書概要作成方法において、
前記概要の構成に係る作成条件を設定する作成条件設定ステップを含み、
前記概要データ作成ステップにおいては、前記強調箇所抽出ステップにおける抽出結果と、前記作成条件とに基づき、当該作成条件に応じた構成の前記概要データを作成することを特徴としている。
これにより、発明８の文書概要作成装置と同等の効果が得られる。
【００７２】
〔発明４０〕  更に、発明４０の文書概要作成方法は、発明３３乃至３９のいずれか１の文書概要作成方法において、
前記強調箇所判断情報の適用条件を設定する適用条件設定ステップを含み、
前記強調箇所抽出ステップにおいては、前記文書データと、前記適用条件に応じた前記強調箇所判断情報とに基づき、前記文書データから前記強調箇所に該当するデータを抽出することを特徴としている。
これにより、発明９の文書概要作成装置と同等の効果が得られる。
【００７３】
〔発明４１〕  更に、発明４１の文書概要作成方法は、発明３３乃至３９のいずれか１の文書概要作成方法において、
前記概要データ記憶手段に記憶された概要データによって構成される画像を副表示部に表示する概要画像表示ステップをコンピュータに実行させるためのプログラムを含むことを特徴としている。
これにより、発明１０の文書概要作成装置と同等の効果が得られる。
【００７４】
〔発明４２〕  一方、上記目的を達成するために、発明４２の表示装置制御方法は、
発明３３乃至３９のいずれか１の文書概要作成方法において、
前記文書データによって構成される文書画像を被表示部に表示する文書画像表示ステップと、
前記文書概要作成装置によって作成された前記概要データを外部機器に出力する概要データ出力ステップとからなる処理をコンピュータに実行させるためのプログラムと、を更に含むことを特徴としている。
これにより、発明１１の表示装置と同等の効果が得られる。
【００７５】
〔発明４３〕  一方、上記目的を達成するために、発明４３の文書概要作成装置制御方法は、
文書データによって構成される文書画像の表示内容の概要を作成する文書概要作成装置と、情報処理装置とを備え、前記文書概要作成装置において作成した前記概要によって構成される画像を前記情報処理装置において表示するプレゼンテーションシステムに適用可能な、前記文書概要作成装置を制御するための方法であって、
前記文書データを取得する文書データ取得ステップと、
前記文書データ取得ステップにおいて取得した文書データと、前記表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記概要データの記憶された概要データ記憶手段から概要データを読み出し、当該読み出した概要データを前記情報処理装置に送信する概要データ送信ステップと、を含むことを特徴としている。
これにより、発明１２のプレゼンテーションシステムと同等の効果が得られる。
【００７６】
〔発明４４〕  一方、上記目的を達成するために、発明４４の表示装置制御方法は、
表示装置を制御するための方法であって、
文書データを取得する文書データ取得ステップと、
前記文書データ取得ステップにおいて取得した文書データと、当該文書データによって構成される文書画像の表示内容における強調箇所を判断するための強調箇所判断情報の記憶された強調箇所判断情報記憶手段の記憶内容とに基づき、前記文書データから前記強調箇所に該当するデータを抽出する強調箇所抽出ステップと、
前記強調箇所抽出ステップにおける抽出結果に基づき、前記表示内容の概要を構成する概要データを作成する概要データ作成ステップと、
前記文書データによって構成される文書画像を表示部に表示する文書画像表示ステップと、
前記文書データを通信回線を介して情報処理装置に送信する一方、前記概要データの記憶された概要データ記憶手段から前記概要データを読み出し、当該読み出した概要データを前記通信回線を介して前記情報処理装置に送信する概要データ出力ステップと、
前記情報処理装置からの、当該情報処理装置における前記文書画像の表示時間と、これに該当する文書画像情報とを対応付けてなる閲覧情報を受信する閲覧情報受信ステップと、
前記強調箇所判断情報として、前記閲覧情報受信ステップにおいて受信した閲覧情報を前記強調箇所判断情報記憶手段に記憶する閲覧情報記憶ステップと、を含むことを特徴としている。
これにより、発明１４のプレゼンテーションシステムと同等の効果が得られる。
【００７７】
〔発明４５〕  一方、上記目的を達成するために、発明４５の情報処理装置制御方法は、
情報処理装置を制御するための方法であって、
表示装置から送信された文書データを受信する文書データ受信ステップと、
前記文書データ受信ステップにおいて受信した文書データによって構成される文書画像を表示する文書画像副表示ステップと、
前記表示装置から送信された前記表示内容の概要を構成する概要データを受信する概要データ受信ステップと、
前記概要データ受信ステップにおいて受信した前記概要データによって構成される画像を表示する概要画像表示ステップと、
前記文書画像副表示ステップにおいて表示された各文書画像の表示時間を計測する表示時間計測ステップと、
前記表示時間計測ステップにおいて計測された表示時間の情報と、当該情報に該当する文書画像情報とを対応付けてなる閲覧情報を生成する閲覧情報生成ステップと、
前記閲覧情報生成ステップにおいて生成された閲覧情報を前記表示装置に送信する閲覧情報送信ステップと、を含むことを特徴としている。
これにより、発明１４のプレゼンテーションシステムと同等の効果が得られる。
【発明を実施するための最良の形態】
【００７８】
〔第１の実施の形態〕
以下、本発明の第１の実施の形態を図面に基づき説明する。図１〜図２２は、本発明に係る文書概要作成装置、表示装置、情報処理装置、プレゼンテーションシステム、文書概要作成プログラム、文書概要作成装置制御プログラム、表示装置制御プログラム、情報処理装置制御プログラム、文書概要作成方法、文書概要作成装置制御方法、表示装置制御方法及び情報処理装置制御方法の第１の実施の形態を示す図である。
【００７９】
本実施の形態は、本発明に係る文書概要作成装置、表示装置、情報処理装置、プレゼンテーションシステム、文書概要作成プログラム、文書概要作成装置制御プログラム、表示装置制御プログラム、情報処理装置制御プログラム、文書概要作成方法、文書概要作成装置制御方法、表示装置制御方法及び情報処理装置制御方法を、文書データから構成される文書画像を表示部に表示し、その表示結果を利用してプレゼンテーションを行うシステムに適用したものである。
【００８０】
本実施の形態においては、プレゼンテーション中における文書画像の表示時間、プレゼンテーション中における発表者のマウス操作による文書画像上のマウスポインタ軌跡、強調箇所と判断する文字の情報等の文書データ中の強調箇所を判断するための強調箇所判断情報を用いて、文書データから強調箇所に該当するデータを抽出し、当該抽出結果に基づき文書画像の表示内容の概要を作成する。
【００８１】
次に、本発明に係るプレゼンテーションシステム１の構成を図１に基づき説明する。図１は、本発明に係るプレゼンテーションシステム１の構成を示す概観図である。
プレゼンテーションシステム１は、図１に示すように、文書データ及び強調箇所判断情報に基づき、文書データの表示内容の概要を作成する文書概要作成装置２と、文書データによって構成される文書画像をスクリーン５に投射表示する表示装置３と、文書概要作成装置２において作成された概要データを取得し、当該概要データによって構成される画像を自己の表示部に表示する複数の情報処理装置４と、表示装置３から光投射される文書画像を表示するスクリーン５とを含んだ構成となっている。そして、文書概要作成装置２は、表示装置３及び複数の情報処理装置４と互いにデータ通信可能に接続されている。
【００８２】
更に、図２に基づき、文書概要作成装置２の詳細な構成を説明する。図２は、文書概要作成装置２の詳細構成を示すブロック図である。
文書概要作成装置２は、図２に示すように、データ通信部２ａと、文書データ取得部２ｂと、表示時間情報生成部２ｅと、マウスポインタ軌跡記録部２ｆと、表示時間測定部２ｍとを含んだ構成となっている。
【００８３】
データ通信部２ａは、外部装置からの文書データを受信したり、概要データを情報処理装置４に送信したりするなど、文書概要作成装置２とデータ通信可能な装置との間のデータ送受信を行う機能を有している。
文書データ取得部２ｂは、外部装置からの文書データをデータ通信部２ａを介して取得したり、ＣＤ−ＲＯＭ、ＤＶＤ−ＲＯＭ、ＵＳＢメモリ等の記憶媒体を介して文書データを取得したりする機能を有している。
【００８４】
表示時間情報生成部２ｅは、データ制御部２ｃからの表示時間情報生成命令や文書画像の表示内容の切替指示等に応じて、表示時間測定部２ｍに文書データにおける各ページ毎の画像の表示時間の測定をさせ、その測定結果と対応するページの文書データの情報とを対応付けてなる表示時間情報を生成する機能を有している。
表示時間測定部２ｍは、表示時間情報生成部２ｅからの指示に応じて、タイマにより文書画像の表示時間の測定を行う機能を有している。
【００８５】
マウスポインタ軌跡記録部２ｆは、プレゼンテーションの発表者が、プレゼンテーションの最中に図示しないマウスを操作することにより、後述する表示部２ｌに表示されたスクリーン５の表示内容と同じ文書画像上を移動するマウスポインタの位置情報（座標）を記録する機能を有している。つまり、発表者が、マウスポインタによって表示内容における注目箇所等を指し示しながらプレゼンテーションを行っているときの、マウスポインタの位置情報を逐次記録する。
【００８６】
文書概要作成装置２は、更に、データ制御部２ｃと、データ記憶部２ｄと、画像表示処理部２ｋと、表示部２ｌとを含んだ構成となっている。
データ制御部２ｃは、表示時間情報生成部２ｅによって生成された表示時間情報、文書データ取得部２ｂによって取得した文書データ、マウスポインタ軌跡記録部２ｆの記録結果等の各種データをデータ記憶部２ｄに記憶したり、データ記憶部２ｄに記憶された各種データを各構成要素に伝送したり、各構成要素間のデータ授受を制御したりするなど、文書概要作成装置２におけるデータの流れを統括性御する機能を有している。更に、発表者からの概要データ作成指示等の各処理のトリガとなる指示に応じて、各構成要素に対して指示に対応する命令を与える機能を有している。
【００８７】
データ記憶部２ｄは、表示時間情報、マウスポインタ軌跡などの強調箇所判断情報、文書データ、概要データ等の各種データを記憶する機能を有している。
画像表示処理部２ｋは、表示指示のあった文書データの文書画像やメッセージ画像等を表示部２ｌに表示するために、文書データやメッセージデータ等を画像信号に変換する機能を有している。
【００８８】
表示部２ｌは、画像表示処理部２ｋからの画像信号に基づき、文書画像を表示すると共に、画像表示処理部２ｋからの同じ画像信号を通信ケーブルを介して表示装置３に伝送する機能を有している。
文書概要作成装置２は、更に、概要レベル設定部２ｇと、強調箇所抽出部２ｈと、概要データ作成部２ｉと、概要データ配信部２ｊとを含んだ構成となっている。
【００８９】
概要レベル設定部２ｇは、作成する概要に表紙ページを含めるか否かを設定したり、作成する概要の総ページ数を設定したり、強調箇所と判断する表示時間の閾値を設定したり、強調箇所と判断する文字情報の閾値（フォントサイズ等）を設定したりするなど、作成する概要の構成に係る条件（以下、構成条件と称す）、及び強調箇所の抽出に係る強制箇所判断情報の適用に係る条件（以下、適用条件）を設定する機能を有している。ここで、本実施の形態において、概要レベルの設定は、発表者が、図示しないマウスやキーボード等の入力デバイスを用いて設定することになる。また、本実施の形態においては、概要レベル設定部２ｇにおいて、強調箇所の抽出に用いる強調箇所判断情報の種類の設定（後述するモード設定）を行うことも可能となっている。
【００９０】
強調箇所抽出部２ｈは、発表者からの概要データの作成指示に応じて動作し、概要レベル設定部２ｇの設定内容と、当該設定内容に応じた強調箇所判断情報とに基づき、文書データから強調箇所に該当するデータを抽出する機能を有している。
概要データ作成部２ｉは、強調箇所抽出部２ｈの抽出結果と、概要レベル設定部２ｇの設定内容とに基づき、文書画像の表示内容の概要を作成する機能を有している。具体的には、強調箇所に該当するデータを抽出されたデータの単位（ページ単位、文章単位等）に応じてまとめた概要データを作成する。例えば、強調箇所がページ単位であれば、抽出した全ページのデータをひとまとめにしたファイルが概要データとなり、強調箇所が文章単位であれば、抽出した複数の文章を各ページに割り振り、１ページで足りない場合は次のページを作成する等を行い、最終的に作成されたデータをひとまとめにしたファイルが概要データとなる。
【００９１】
概要データ配信部２ｊは、概要データ作成部２ｉにおいて作成された概要データを、データ通信部２ａを介して情報処理装置４に送信する機能を有している。
ここで、文書概要作成装置２は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【００９２】
また、本実施の形態においては、プレゼンテーションの発表者が、文書概要作成装置２の使用者であるとして説明を行う。
更に、図３に基づき、表示装置３の詳細な構成を説明する。図３は、表示装置３の詳細構成を示すブロック図である。
表示装置３は、図３に示すように、画像信号受信部３ａと、データ制御部３ｂと、データ記憶部３ｃと、画像投射部３ｄとを含んだ構成となっている。
【００９３】
画像信号受信部３ａは、文書概要作成装置２の表示部２ｌに表示された文書画像と同じ画像の画像信号を通信ケーブルを介して取得する機能を有している。
データ制御部３ｂは、画像信号受信部３ａにおいて取得した画像信号のデータをデータ記憶部３ｃに記憶したり、画像信号受信部３ａを介して受信した画像信号を画像投射部３ｄに伝送したり、各構成要素間のデータの授受を制御したりするなど、表示装置３におけるデータの流れを統括制御する機能を有している。
【００９４】
データ記憶部３ｃは、文書画像データ等の各種データを記憶する機能を有している。
画像投射部３ｄは、データ制御部３ｂからの画像信号に基づき、公知の液晶プロジェクタと同様の原理によって、当該画像信号によって構成される画像をスクリーン５に光投射する機能を有している。具体的には、超高圧水銀ランプやキセノンランプ等から成る光源と、照射面で一様な照度分布を得るためのフライアイレンズと、画像信号に基づき、入射した光の波長領域のうちＲＧＢ３原色の輝度をそれぞれ変調する色変調部と、色変調部から入射した光を主表示部５に光投射する投射部とで構成されている。
【００９５】
色変調部は、透過率を独立に制御可能な複数の画素をマトリクス状に配列した構成の３枚の液晶ライトバルブと、フィールドレンズと、特定色の光のみを透過しそれ以外の光を反射するダイクロイックミラーと、ミラーと、入射した各色の光を合成するダイクロイックプリズムとで構成されている。
投射部は、投射レンズにより、入射光をスクリーン５に拡大投射するように構成されている。
【００９６】
画像信号受信部３ａで受信した画像信号に基づいて画像を表示するので、文書概要作成装置２の表示部２ｌの表示内容と同じ文書画像がわずかなタイムラグでスクリーン５に表示されることになる。
ここで、表示装置３は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【００９７】
更に、図４に基づき、情報処理装置４の詳細な構成を説明する。図４は、情報処理装置４の詳細構成を示すブロック図である。
情報処理装置４は、図４に示すように、データ通信部４ａと、概要データ取得部４ｂと、データ制御部４ｃと、データ記憶部４ｄと、概要画像表示処理部４ｅと、表示部４ｆとを含んだ構成となっている。
【００９８】
データ通信部４ａは、文書概要作成装置２からの概要データを受信するなど、情報処理装置４とデータ通信可能な装置との間のデータ送受信を行う機能を有している。
概要データ取得部４ｂは、データ通信部４ａを介して文書概要作成装置２から送信された概要データを取得する機能を有している。
データ制御部４ｃは、概要データ取得部４ｂにおいて取得した概要データをデータ記憶部４ｄに記憶したり、その他データ通信部４ａを介して取得したデータをデータ記憶部４ｄに記憶したり、各構成要素間のデータの授受を制御したりするなど、情報処理装置４におけるデータの流れを統括制御する機能を有している。
【００９９】
データ記憶部４ｄは、概要データ等の取得データや、その他処理に必要なデータ等の各種データを記憶する機能を有している。
概要画像表示処理部４ｅは、表示指示のあった概要データの画像を表示部２ｌに表示するために、概要データを画像信号に変換する機能を有している。
表示部４ｆは、概要画像表示処理部４ｅからの画像信号に基づき、概要データによって構成される画像（以下、概要画像と称す）を表示する機能を有している。
【０１００】
ここで、情報処理装置４は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１０１】
また、本実施の形態においては、プレゼンテーションの聴講者が、情報処理装置４の使用者であるとして説明を行う。
更に、文書概要作成装置２は、ＣＰＵによって、ＲＯＭの所定領域に格納されている所定のプログラムを起動させ、そのプログラムに従って、図５のフローチャートに示す概要データ作成処理を実行するようになっている。
【０１０２】
図５は、文書概要作成装置２における概要データ作成処理を示すフローチャートである。
概要データ作成処理は、ＣＰＵによって実行されると、図５に示すように、まず、ステップＳ１００に移行するようになっている。
ステップＳ１００では、データ制御部２ｃにおいて、文書データ取得部２ｂを介して、文書データを取得したか否かを判定し、取得したと判定された場合(Yes)はステップＳ１０２に移行し、そうでない場合(No)はステップＳ１２０に移行する。
【０１０３】
ステップＳ１０２に移行した場合は、データ制御部２ｃにおいて、ステップＳ１００で取得した文書データをデータ記憶部２ｄに記憶してステップＳ１０４に移行する。
ステップＳ１０４では、データ制御部２ｃにおいて、発表者からの概要データの作成指示があったか否かを判定し、指示があったと判定された場合(Yes)はステップＳ１０６に移行し、そうでない場合(No)はステップＳ１００に移行する。ここで、概要データの作成指示は、発表者が入力デバイスを用いて、データ記憶部２ｄに記憶された文書データの中から任意の文書データを選択して概要データの作成指示をすることで行われる。
【０１０４】
ステップＳ１０６に移行した場合は、データ制御部２ｃからの命令に応じて、概要レベル設定部２ｇにおいて、表示部２ｌに概要レベルの設定用画像を表示させ、マウス等の入力デバイスにより発表者からの概要レベルの設定入力を受け付けてステップＳ１０８に移行する。ここで、本実施の形態においては、設定内容として、強調箇所の抽出に用いる強調箇所判断情報の種類（モードにより選択可能）、各強調箇所判断情報の適用条件の設定、表示ページを含むか否か、概要の総ページ数等の構成条件などが設定可能となっている。
【０１０５】
ステップＳ１０８では、概要レベル設定部２ｇにおいて、発表者による概要レベルの設定が完了したか否かを判定し、完了したと判定された場合(Yes)はステップＳ１１０に移行し、そうでない場合(No)はステップＳ１０６に移行して設定入力の受付を続行する。
ステップＳ１１０に移行した場合は、強調箇所抽出部２ｈにおいて、概要レベルの設定内容及び強調箇所判断情報に基づき、文書データから強調箇所に該当するデータを抽出する抽出処理を実行してステップＳ１１２に移行する。
【０１０６】
ステップＳ１１２では、データ制御部２ｃにおいて、強調箇所抽出部２ｈからの成功情報又は失敗情報に基づき、強調箇所の抽出処理が成功したか否かを判定し、成功したと判定された場合(Yes)はステップＳ１１４に移行し、そうでない場合(No)はステップＳ１００に移行する。
ステップＳ１１４に移行した場合は、概要データ作成部２ｉにおいて、強調箇所抽出部２ｈの抽出結果及び概要レベル設定部の設定内容に基づき、概要データの作成処理を実行してステップＳ１１６に移行する。
【０１０７】
ステップＳ１１６では、データ制御部２ｃにおいて、概要データの作成処理が完了したか否かを判定し、完了したと判定された場合(Yes)はステップＳ１１８に移行し、そうでない場合(No)はステップＳ１１４に移行する。
ステップＳ１１８に移行した場合は、概要データ配信部２ｊにおいて、概要データ作成部２ｉにおいて作成された概要データをデータ通信部２ａを介して情報処理装置４に配信してステップＳ１００に移行する。
【０１０８】
一方、ステップＳ１００において、文書データが取得されずステップＳ１２０に移行した場合は、データ制御部２ｃにおいて、データ記憶部２ｄの記憶内容に基づき、文書データがあるか否かを判定し、文書データがあると判定された場合(Yes)は、ステップＳ１０４に移行し、そうでない場合(No)は、発表者が概要データの作成指示を行えない状態にしてステップＳ１００に移行する。
【０１０９】
次に、図６に基づき、ステップＳ１１０の強調箇所抽出処理を詳細に説明する。
図６は、文書概要作成装置２における、強調箇所抽出処理を示すフローチャートである。
強調箇所抽出処理は、概要レベルの設定内容及び強調箇所判断情報に基づき、文書データから強調箇所に該当するデータを抽出する処理であって、ステップＳ１１０において実行されると、図６に示すように、まず、ステップＳ２００に移行するようになっている。
【０１１０】
ステップＳ２００では、データ制御部２ｃを介して、データ記憶部２ｄから文書データを読み出してステップＳ２０２に移行する。
ステップＳ２０２では、データ制御部２ｃを介して、データ記憶部２ｄから概要レベルの設定情報を読み出し、設定内容を確認してステップＳ２０４に移行する。
ステップＳ２０４では、設定モードに応じた強調箇所判断情報が取得されているか否かを判定し、取得されていると判定された場合(Yes)はステップＳ２０６に移行し、そうでない場合(No)はステップＳ２１６に移行する。
【０１１１】
ステップＳ２０６に移行した場合は、データ制御部２ｃを介して、データ記憶部２ｃから設定モードに応じた強調箇所判断情報を読み出してステップＳ２０８に移行する。
ステップＳ２０８では、適用条件の設定があるか否かを判定し、適用条件の設定があると判定された場合(Yes)はステップＳ２１０に移行し、そうでない場合(No)はステップＳ２１２に移行する。
【０１１２】
ステップＳ２１０に移行した場合は、ステップＳ２０６で読み出した強調箇所判断情報及び設定された適用条件に基づき、ステップＳ２００で読み出した文書データから強調箇所を抽出してステップＳ２１２に移行する。
ステップＳ２１２では、抽出が成功したことを示す成功情報をデータ制御部２ｃに伝送すると共に、データ制御部２ｃを介して、抽出結果をデータ記憶部２ｄに記憶して処理を終了する。
【０１１３】
一方、ステップＳ２１４に移行した場合は、ステップＳ２０６で読み出した強調箇所判断情報に基づき、ステップＳ２００で読み出した文書データから強調箇所を抽出してステップＳ２１２に移行する。
また、ステップＳ２０４において、設定モードに応じた強調箇所判断情報が無く、ステップＳ２１６に移行した場合は、データ制御部２ｃ及び画像表示処理部２ｋを介して、該当する強調箇所判断情報が無いことを示すメッセージを表示部２ｌに表示させてステップＳ２１８に移行する。
【０１１４】
ステップＳ２１８では、強調箇所の抽出処理が失敗したことを示す失敗情報を、データ制御部２ｃに伝送して処理を終了する。
次に、図７に基づき、ステップＳ１１４の概要データ作成処理を詳細に説明する。
図７は、文書概要作成装置２における、概要データ作成処理を示すフローチャートである。
【０１１５】
概要データ作成処理は、強調箇所抽出部２ｈの抽出結果及び概要レベルの設定内容に基づき、概要データを作成する処理であって、ステップＳ１１４において実行されると、図７に示すように、まず、ステップＳ３００に移行するようになっている。
ステップＳ３００では、データ制御部２ｃを介して、データ記憶部２ｄから強調箇所の抽出結果のデータを読み出してステップＳ３０２に移行する。
【０１１６】
ステップＳ３０２では、データ制御部２ｃを介して、データ記憶部２ｄから概要レベルの設定内容を読み出し、設定内容に構成条件の設定があるか否かを判定し、設定があると判定された場合(Yes)はステップＳ３０４に移行し、そうでない場合(No)はステップＳ３０６に移行する。
ステップＳ３０４に移行した場合は、ステップＳ３００で読み出した抽出結果と、構成条件の設定内容とに基づき、概要データを作成してステップＳ３０６に移行する。
【０１１７】
ステップＳ３０６では、概要データの作成が完了したことをデータ制御部２ｃに通知すると共に、データ制御部２ｃを介して、概要データをデータ記憶部２ｄに記憶して処理を終了する。
一方、ステップＳ３０８に移行した場合は、ステップＳ３００で読み出した抽出結果に基づき、概要データを作成してステップＳ３０６に移行する。
【０１１８】
次に、図８に基づき、文書概要作成装置２における、表示時間情報生成処理を詳細に説明する。
図８は、文書概要作成装置２における、表示時間情報生成処理を示すフローチャートである。
表示時間情報生成処理は、ＣＰＵによって実行されると、図８に示すように、まず、ステップＳ４００に移行するようになっている。
【０１１９】
ステップＳ４００では、データ制御部２ｃにおいて、発表者からのプレゼンテーション開始指示があったか否かを判定し、開始指示があったと判定された場合(Yes)はステップＳ４０２に移行し、そうでない場合(No)は判定処理を継続する。
ステップＳ４０２に移行した場合は、データ制御部２ｃにおいて、表示部２ｌに文書画像が表示されているか否かを判定し、表示されていると判定された場合(Yes)は、表示時間情報生成部２ｅに表示時間情報生成命令を伝送してステップＳ４０４に移行し、そうでない場合(No)は判定処理を継続する。
【０１２０】
ステップＳ４０４に移行した場合は、表示時間情報生成部２ｅにおいて、データ制御部２ｃを介してデータ記憶部２ｄから表示部２ｌで表示されている文書画像の文書データを読み出してステップＳ４０６に移行する。
ステップＳ４０６では、表示時間情報生成部２ｅにおいて、表示時間測定部２ｍのタイマを作動させて表示時間の測定を開始しステップＳ４０８に移行する。
【０１２１】
ステップＳ４０８では、データ制御部２ｃにおいて、表示部２ｌの表示内容が切り替えられたか否かを判定し、切り替えられたと判定された場合(Yes)は、そのことを表示時間情報生成部２ｅに通知してステップＳ４１０に移行し、そうでない場合(No)は、そのことを表示時間情報生成部２ｅに通知してステップＳ４２０に移行する。
ステップＳ４１０に移行した場合は、表示時間情報生成部２ｅにおいて、表示時間測定部２ｍの測定時間を記憶してステップＳ４１２に移行する。
【０１２２】
ステップＳ４１２では、表示時間情報生成部２ｅにおいて、表示時間測定部２ｍのタイマのカウント値をクリアしてステップＳ４１４に移行する。
ステップ４１４では、表示時間情報生成部２ｅにおいて、表示時間測定部２ｍのタイマを作動して切替後の画像の表示時間の測定を開始してステップＳ４１６に移行する。
ステップＳ４１６では、表示時間情報生成部２ｅにおいて、ステップＳ４０４で読み出した文書データと、ステップＳ４１０で記憶した表示時間とに基づき、表示時間と、文書データにおける当該表示時間に対応する部分のデータとを対応付けて表示時間情報を生成してステップＳ４１８に移行する。
【０１２３】
ステップＳ４１８では、表示時間情報生成部２ｅにおいて、データ制御部２ｃを介してデータ記憶部２ｄに、ステップＳ４１６で生成した表示時間情報を記憶してステップＳ４０８に移行する。
一方、ステップＳ４０８において、文書画像の表示内容が切り替わらず、ステップＳ４２０に移行した場合は、データ制御部２ｃにおいて、文書画像の投射処理が終了したか否かを判定し、終了したと判定された場合(Yes)は、そのことを表示時間情報生成部２ｅに通知してステップＳ４２２に移行し、そうでない場合(No)は、そのことを表示時間情報生成部２ｅに通知してステップＳ４３０に移行する。
【０１２４】
ステップＳ４２２に移行した場合は、表示時間情報生成部２ｅにおいて、表示時間測定部２ｍの測定時間を記憶してステップＳ４２４に移行する。
ステップＳ４２４では、表示時間情報生成部２ｅにおいて、ステップＳ４０４で読み出した文書データと、ステップＳ４２２で記憶した表示時間とに基づき、表示時間と、文書データにおける当該表示時間に対応する部分のデータとを対応付けて表示時間情報を生成してステップＳ４２６に移行する。
【０１２５】
ステップＳ４２６では、表示時間情報生成部２ｅにおいて、データ制御部２ｃを介してデータ記憶部２ｄに、ステップＳ４２４で生成した表示時間情報を記憶してステップＳ４２８に移行する。
ステップＳ４２８では、データ制御部２ｃにおいて、発表者からのプレゼンテーション終了指示があったか否かを判定し、終了指示があったと判定された場合(Yes)はステップＳ４００に移行し、そうでない場合(No)はステップＳ４０２に移行する。
【０１２６】
一方、ステップＳ４２０において、文書画像の表示処理が終了せずに、ステップＳ４３０に移行した場合は、表示時間の測定を継続してステップＳ４０８に移行する。
次に、図９に基づき、文書概要作成装置２における、マウスポインタ軌跡記録処理を詳細に説明する。
図９は、文書概要作成装置２における、マウスポインタ軌跡記録処理を示すフローチャートである。
【０１２７】
マウスポインタ軌跡記録処理は、ＣＰＵによって実行されると、図９に示すように、まず、ステップＳ５００に移行するようになっている。
ステップＳ５００では、データ制御部２ｃにおいて、発表者からのプレゼンテーション開始指示があったか否かを判定し、開始指示があったと判定された場合(Yes)はステップＳ５０２に移行し、そうでない場合(No)は判定処理を継続する。
【０１２８】
ステップＳ５０２に移行した場合は、データ制御部２ｃにおいて、表示部２ｌに文書画像が表示されているか否かを判定し、表示されていると判定された場合(Yes)は、マウスポインタ軌跡記録部２ｆにポインタ軌跡記録命令を伝送してステップＳ５０４に移行し、そうでない場合(No)は判定処理を継続する。
ステップＳ５０４に移行した場合は、マウスポインタ軌跡記録部２ｆにおいて、データ制御部２ｃを介してデータ記憶部２ｄから表示部２ｌで表示されている文書画像の文書データを読み出してステップＳ５０６に移行する。
【０１２９】
ステップＳ５０６では、マウスポインタ軌跡記録部２ｆにおいて、表示画面上のマウスポインタの現在位置情報及び時間情報を取得し、これら位置情報及び時間情報を、位置情報に対応する表示内容と対応付けてなるマウスポインタ軌跡情報を記録してステップＳ５０８に移行する。
ステップＳ５０８では、データ制御部２ｃにおいて、発表者からのプレゼンテーション終了指示があったか否かを判定し、終了指示があったと判定された場合(Yes)はステップＳ５１０に移行し、そうでない場合(No)はステップＳ５０６に移行する。
【０１３０】
ステップＳ５１０では、マウスポインタ軌跡記録部２ｆにおいて、マウスポインタ軌跡情報をデータ制御部２ｃを介してデータ記憶部２ｄに記憶してステップＳ５００に移行する。
更に、表示装置３は、ＣＰＵによって、ＲＯＭの所定領域に格納されている所定のプログラムを起動させ、そのプログラムに従って、図１０のフローチャートに示す文書画像の表示処理を実行するようになっている。
【０１３１】
図１０は、表示装置３における文書画像の表示処理を示すフローチャートである。
文書画像の表示処理は、ＣＰＵによって実行されると、図１０に示すように、まず、ステップＳ６００に移行するようになっている。
ステップＳ６００では、データ制御部３ｂにおいて、画像信号受信部３ａを介して文書概要作成装置２からの画像信号を受信したか否かを判定し、受信したと判定された場合(Yes)はステップＳ６０２に移行し、そうでない場合(No)は取得するまで判定処理を継続する。
【０１３２】
ステップＳ６０２に移行した場合は、データ制御部３ｂにおいて、取得した画像信号のデータをデータ記憶部３ｃに記憶してステップＳ６０４に移行する。ここで、画像信号データを一時記憶して画像投射部３ｄの性能に合わせた加工をしてから、加工後の画像信号を画像投射部３ｄに伝送することが可能である。
ステップＳ６０４では、画像投射部３ｄにおいて、データ制御部３ｂからの画像信号に基づき、文書画像をスクリーン５に向けて拡大投射する投射処理を実行してステップＳ６００に移行する。
【０１３３】
更に、情報処理装置４は、ＣＰＵによって、ＲＯＭの所定領域に格納されている所定のプログラムを起動させ、そのプログラムに従って、図１１のフローチャートに示す概要画像の表示処理を実行するようになっている。
図１１は、情報処理装置４における概要画像の表示処理を示すフローチャートである。
概要画像の表示処理は、ＣＰＵによって実行されると、図１１に示すように、まず、ステップＳ７００に移行するようになっている。
【０１３４】
ステップＳ７００では、概要データ取得部４ｂにおいて、データ通信部４ａを介して文書概要作成装置２から概要データを取得したか否かを判定し、取得したと判定された場合(Yes)はステップＳ７０２に移行し、そうでない場合(No)は取得するまで待機する。
ステップＳ７０２に移行した場合は、データ制御部４ｃにおいて、概要データ取得部４ｂにおいて取得した概要データをデータ記憶部４ｄに記憶してステップＳ７０４に移行する。
【０１３５】
ステップＳ７０４では、データ制御部４ｃにおいて、聴講者の図示しない操作部の操作により、概要画像の表示指示があったか否かを判定し、表示指示があったと判定された場合(Yes)はステップＳ７０６に移行し、そうでない場合(No)はステップＳ７００に移行する。
ステップＳ７０６に移行した場合は、概要画像表示処理部４ｅにおいて、データ制御部４ｃを介してデータ記憶部４ｄから概要データを読み出してステップＳ７０８に移行する。
【０１３６】
ステップＳ７０８では、概要画像表示処理部４ｅにおいて、概要データに基づき、概要画像の信号を生成し、当該信号により表示部４ｆに概要画像を表示してステップＳ７１０に移行する。
ステップＳ７１０では、データ制御部４ｃにおいて、概要画像の表示処理が終了したか否かを判定し、終了したと判定された場合(Yes)はステップＳ７００に移行し、そうでない場合(No)はステップＳ７０８に移行して表示処理を継続する。
【０１３７】
次に、図１２〜図２２に基づき、本実施の形態の動作を説明する。
本実施の形態においては、文書データから強調箇所を抽出するモードとして、（１）文書データの各ページ毎の表示内容（以下、スライドと称す）の表示時間に基づき強調箇所を抽出する表示時間モードと、（２）文書画像に含まれる文字の設定内容（フォントサイズ、下線、斜体等）に基づき強調箇所を抽出するフォントモードと、（３）プレゼンテーション中におけるマウスポインタの位置及び軌跡に基づき強調箇所を抽出するマウス軌跡モードとの３種類が設定可能となっている。
【０１３８】
ここで、図１２は、表示時間モード選択時の概要レベルの設定例を示す図であり、図１３は、スライドの表示時間情報の一例を示す図であり、図１４は、抽出結果の一例を示す図である。
また、図１５は、フォントモード選択時の概要レベルの設定例を示す図であり、図１６は、フォント設定種類に対する強調レベルの一例を示す図であり、図１７は、抽出結果の一例を示す図であり、図１８は、概要データの一例を示す図である。
【０１３９】
また、図１９は、マウスポインタ軌跡に対する強調レベルの一例を示す図であり、図２０は、マウスポインタ軌跡の記録例を示す図であり、図２１（ａ）及び（ｂ）は、マウスポインタの移動軌跡の一例を示す図であり、図２２は、概要データの一例を示す図である。
まず、文書概要作成装置２は、図示しないデータサーバ等の外部装置又は図示しないＤＶＤ−ＲＯＭやＵＳＢメモリ等の記憶媒体などから文書データ取得部２ｂを介して文書データを取得する（ステップＳ１００）。文書データ取得部２ｂにおいて文書データが取得されると、データ制御部２ｃにおいて、取得した文書データをデータ記憶部２ｄに記憶する（ステップＳ１０２）。これにより、発表者は、概要データの作成指示が行えるようになる。本実施の形態において、作成指示は、表示部２ｌに作成指示ボタンを表示させ、発表者がマウス等の入力デバイスで作成指示ボタンを押下すると、次に、データ記憶部２ｄに記憶された文書データの一覧を表示し、発表者が一覧の中から任意の文書データを選択して、実行ボタンを押下することでデータ制御部２ｃに対して作成指示が発行される仕組みとする。
【０１４０】
つまり、データ制御部２ｃにおいて、作成指示が発行されたと判定されると（ステップＳ１０４）、概要レベルの設定処理へと移行する。
以下、図１２〜図１４に基づき、強調箇所の抽出モードとして、表示時間モードが設定された場合の動作を説明する。
表示時間モードが設定された場合は、概要レベルの設定画面として、図１２に示すような画面が表示される（ステップＳ１０６）。この場合は、概要レベルとして、強調箇所と判断する表示時間（適用条件）と、概要の総枚数（表示時間モードの場合は適用条件、それ以外は構成条件）と、表紙を概要に含めるか否か（適用条件）とが指定可能となっている。図１２に示すように、表示時間を設定せず、概要の総枚数及び表紙を概要に含める設定を行い概要レベルの設定を完了する。概要レベルの設定内容は設定モード（ここでは、表示時間モード）と共に、データ制御部２ｃを介してデータ記憶部２ｄに記憶される。これにより、データ制御部２ｃにおいて、概要レベルの設定が完了したと判定され（ステップＳ１０８）、強調箇所抽出部２ｈにおいて、強調箇所の抽出処理が開始される（ステップＳ１１０）。
【０１４１】
強調箇所の抽出処理が開始されると、強調箇所抽出部２ｈは、作成指示に対応した文書データ及び概要レベルの設定内容を、データ制御部２ｃを介してデータ記憶部２ｄから読み出す（ステップＳ２００）。次に、読み出した設定内容から設定モードを確認する。ここでは、表示時間モードが設定されているので、強調箇所抽出部２ｈにおいて、データ記憶部２ｄの記憶内容に基づき、読み出した文書データに対応した表示時間情報が取得されているか否かを判定することになる。ここで、表示時間情報は、プレゼンテーションの終了後に取得可能な情報であるので、プレゼンテーション終了前において、表示時間モードによる強調箇所の抽出処理は不可能であり、その旨を示すメッセージを表示部２ｌに表示し（ステップＳ２１６）、抽出処理が失敗したことを示す失敗情報をデータ制御部２ｃに伝送する（ステップＳ２１８）。一方、プレゼンテーション終了後であり、表示時間情報を取得済みであれば、強調箇所抽出部２ｈは、データ制御部２ｃを介してデータ記憶部２ｄから表示時間情報を読み出す（ステップＳ２０６）。
【０１４２】
本実施の形態において、表示時間情報は、図１３に示すように、測定した表示時間と、この時間に対応する文書データを構成する各スライドの番号（ページ番号）とが一対一に対応付けられたデータ構造となっている。また、本実施の形態においては、図１３に示すように、文書データは、スライド１〜１２の１２ページのスライドを含む構成となっており、発表者は、基本的にスライド１〜１２の昇順に各スライドをスクリーン５に表示させながらプレゼンテーションを行う。なお、スライドは昇順に表示しつつも、途中で前のページに戻ることもあり得るので、このような場合に、本実施の形態においては、表示時間の測定は、以前測定された表示時間に今回の測定時間を加える積算方式を用いる。
【０１４３】
一方、表示時間情報の生成処理は、プレゼンテーションの開始及び文書画像の表示をトリガとして、表示時間情報生成部２ｅにおいて行われる。例えば、プレゼンテーションの開始を示す情報を発行する「開始ボタン」を表示部２ｌに表示させ、発表者が、プレゼンテーションを行うときに、マウスやキーボード等の入力デバイスを用いて、「開始ボタン」を押下することにより、プレゼンテーションの開始を示す信号がデータ制御部２ｃに伝送されるような仕組みを構成する。この構成により、発表者によって「開始ボタン」が押下されると、データ制御部２ｃにおいて、プレゼンテーションが開始されたと判定され（ステップＳ４００）、発表者の表示指示により、表示部２ｌに文書画像が表示されると、データ制御部２ｃにおいて表示部２ｌに文書画像が表示されたと判定される（ステップＳ４０２）。表示時間情報生成部２ｅは、プレゼンテーションの開始及び文書画像の表示をトリガとして、まず、データ制御部２ｃを介してデータ記憶部２ｄから現在表示されている文書画像に対応した文書データを読み出すと共に（ステップＳ４０４）、表示時間測定部２ｍに、表示部２ｌに表示された文書画像の表示時間の測定を開始させる（ステップＳ４０６）。表示時間の測定は、表示部２ｌの表示内容が切り替わる毎に（ステップＳ４０８）、測定時間の記憶（ステップＳ４１０）、表示時間測定部２ｍのタイマのクリア（ステップＳ４１２）、タイマにより次の表示内容の時間測定開始（ステップＳ４１４）の順で行われる。一方、表示時間が記憶されると、表示時間情報生成部２ｅにおいて、当該記憶された表示時間と対応する表示内容（スライド）の情報とを対応付けて表示時間情報を生成する（ステップＳ４１６）。生成された表示時間情報は、データ制御部２ｃを介してデータ記憶部２ｄに記憶される（ステップＳ４１８）。この表示時間情報生成処理は、プレゼンテーションが終了するまで繰り返し行われることになる。また、本実施の形態においては、表示時間情報生成処理が行われている間は、強調箇所の抽出処理が出来ないようになっている。
【０１４４】
強調箇所抽出部２ｈは、データ記憶部２ｄから表示時間情報の読み出しに成功すると、更に、概要レベルの設定内容から、強調箇所判断情報の適用条件が設定されているか否かを判定する（ステップＳ２０８）。ここでは、適用条件として「総枚数（４枚）」及び「表紙も概要に含む」が設定されているので、これら適用条件と表示時間情報とに基づき、表紙のスライドと、表示時間の長い方から順に上位３ページ分のスライドとが文書データから抽出される（ステップＳ２１０）。抽出結果は、表紙であるスライド１と、表示時間が６５秒のスライド３と、表示時間が５０秒のスライド１０と、表示時間が４２秒のスライド５との計４枚となる。これら抽出結果は、データ制御部２ｃを介してデータ記憶部２ｄに記憶され、また、抽出処理が成功したことを示す成功情報がデータ制御部２ｃに伝送される。
【０１４５】
データ制御部２ｃにおいて、強調箇所抽出部２ｈからの成功情報に基づき、強調箇所の抽出処理が成功したと判定されると（ステップＳ１１２）、概要データ作成部２ｉにおいて、概要データの作成処理が開始される（ステップＳ１１４）。
概要データの作成処理が開始されると、概要データ作成部２ｉは、データ制御部２ｃを介してデータ記憶部２ｄから強調箇所抽出部２ｈの抽出結果及び概要レベルの設定内容を読み出す（ステップＳ３００）。概要レベルの設定内容から、構成条件が設定されているか否かを判定し（ステップＳ３０２）、ここでは、適用条件のみが設定されているので、構成条件は無いと判定される。従って、抽出結果のみに基づき概要データが作成される。概要データは、図１４に示すように、スライド番号の若い順にページ番号が付された、表紙であるスライド１、スライド３、スライド５及びスライド１０の４枚のスライドにより構成されたファイルとなる。作成された概要データは、データ制御部２ｃを介してデータ記憶部２ｄに記憶されると共に、概要データ作成処理が完了したことをデータ制御部２ｃに通知する。
【０１４６】
データ制御部２ｃにおいて、概要データの作成処理が完了したと判定されると（ステップＳ１１６）、概要データ配信部２ｊにおいて、概要データの配信処理が開始される。
概要データの配信処理が開始されると、概要データ配信部２ｊは、データ制御部２ｃを介してデータ記憶部２ｄから概要データを読み出し、当該読み出した概要データを、データ通信部２ａを介して、情報処理装置４に向けて配信する（ステップＳ１１８）。ここで、概要データ配信部２ｊは、予め記憶された情報処理装置４のＩＰアドレス等の固有情報に基づき概要データの配信を行う。
【０１４７】
一方、情報処理装置４は、データ通信部４ａ及びデータ制御部４ｃを介して、文書概要作成装置２からの概要データを取得すると（ステップＳ７００）、当該取得した概要データをデータ記憶部４ｄに記憶する（ステップＳ７０２）。
情報処理装置４の所有者によって図示しない操作部が操作され、データ制御部４ｃにおいて、概要画像の表示指示があったと判定されると（ステップＳ７０４）、概要画像表示処理部４ｅ及び表示部４ｆによる概要画像の表示処理が開始される。
【０１４８】
概要画像の表示処理が開始されると、概要画像表示処理部４ｅは、データ制御部４ｃを介してデータ記憶部４ｄから概要データを読み出し（ステップＳ７０６）、当該読み出した概要データに基づき、概要画像信号を生成し、当該生成した概要画像信号を表示部４ｆに供給して概要画像を表示する（ステップＳ７０８）。
次に、図１５〜図１８に基づき、強調箇所の抽出モードとして、フォントモードが設定された場合の動作を説明する。
【０１４９】
フォントモードが設定された場合は、概要レベルの設定画面として、図１５に示すような画面が表示される（ステップＳ１０６）。この例では、概要レベルとして、強調箇所を判断する強調レベルの閾値（適用条件）と、表紙を概要に含めるか否か（適用条件）とが設定可能となっている。図１５に示すように、「強調レベル５」を設定し、「表紙を概要に含める」を設定して概要レベルの設定を完了する。概要レベルの設定内容は設定モード（ここでは、フォントモード）と共に、データ制御部２ｃを介してデータ記憶部２ｄに記憶される。これにより、データ制御部２ｃにおいて、概要レベルの設定が完了したと判定され（ステップＳ１０８）、強調箇所抽出部２ｈにおいて、強調箇所の抽出処理が開始される（ステップＳ１１０）。
【０１５０】
強調箇所の抽出処理が開始されると、強調箇所抽出部２ｈは、作成指示に対応した文書データ及び概要レベルの設定内容を、データ制御部２ｃを介してデータ記憶部２ｄから読み出す（ステップＳ２００）。次に、読み出した設定内容から設定モードを確認する。ここでは、フォントモードが設定されているので、強調箇所抽出部２ｈにおいて、データ記憶部２ｄの記憶内容に基づき、フォントモードに対応した強調箇所判断情報が記憶されているか否かを判定することになる。ここで、フォントモードに対応した強調箇所判断情報は、プレゼンテーション中に取得される情報とは異なり、事前に用意しておける情報であるので、プレゼンテーション前において概要データを作成することも可能である。本実施の形態においては、事前にデータ記憶部２ｄに記憶しておいたとして、強調箇所抽出部２ｈは、データ制御部２ｃを介してデータ記憶部２ｄからフォントモードに対応した強調箇所判断情報を読み出す（ステップＳ２０６）。フォントモードに対応した強調箇所判断情報は、図１６に示すように、フォント設定種類とその強調レベルとが対応付けられたデータ構造となっている。
【０１５１】
更に、概要レベルの設定内容から、強調箇所判断情報の適用条件が設定されているか否かを判定する（ステップＳ２０８）。ここでは、適用条件として「強調レベルの閾値」と、「表紙を概要に含む」とが設定されているので、表紙となるスライドが抽出されると共に、強調レベルの閾値と、図１６に示す強調レベルとが比較され、閾値よりも大きいレベルのフォント設定種類に対応した箇所が文書データ中から抽出される（ステップＳ２１０）。例えば、図１７に示すように、表紙であるスライド１が抽出され、スライド２から強調レベル８のフォント設定種類に対応した文字列が抽出され、スライド６から強調レベル５のフォント設定種類に対応した文字列が抽出され、スライド９から強調レベル８に対応した文字列が抽出されたとする。これら抽出結果は、データ制御部２ｃを介してデータ記憶部２ｄに記憶され、また、抽出処理が成功したことを示す成功情報がデータ制御部２ｃに伝送される。
【０１５２】
データ制御部２ｃにおいて、強調箇所の抽出処理が完了したと判定されると（ステップＳ１１２）、概要データ作成部２ｉにおいて、概要データの作成処理が開始される（ステップＳ１１４）。
概要データの作成処理が開始されると、概要データ作成部２ｉは、データ制御部２ｃを介してデータ記憶部２ｄから強調箇所抽出部２ｈの抽出結果及び概要レベルの設定内容を読み出す（ステップＳ３００）。概要レベルの設定内容から、構成条件が設定されているか否かを判定し（ステップＳ３０２）、この例では、適用条件のみ設定可能であるので構成条件は無いと判定される。従って、抽出結果のみに基づき概要データが作成される。概要データは、図１８に示すように、表紙であるスライド１と、抽出した文字列をまとめた構成のスライドとにより構成されたファイルとなる。作成された概要データは、データ制御部２ｃを介してデータ記憶部２ｄに記憶されると共に、概要データ作成処理が完了したことをデータ制御部２ｃに通知する。
【０１５３】
ここで、概要データ配信部２ｊにおける概要データの配信処理と、情報処理装置４における概要画像の表示処理は、上記時間情報モードの動作例と同様であるので説明を省略する。
次に、図１９〜図２２に基づき、強調箇所の抽出モードとして、マウス軌跡モードが設定された場合の動作を説明する。
【０１５４】
この例では、概要レベルとして、強調箇所を判断する強調レベルの閾値（適用条件）のみを設定可能とし、「強調レベル５」が設定されたとする。概要レベルの設定内容は設定モード（ここでは、マウス軌跡モード）と共に、データ制御部２ｃを介してデータ記憶部２ｄに記憶される。これにより、データ制御部２ｃにおいて、概要レベルの設定が完了したと判定され（ステップＳ１０８）、強調箇所抽出部２ｈにおいて、強調箇所の抽出処理が開始される（ステップＳ１１０）。
【０１５５】
強調箇所の抽出処理が開始されると、強調箇所抽出部２ｈは、作成指示に対応した文書データ及び概要レベルの設定内容を、データ制御部２ｃを介してデータ記憶部２ｄから読み出す（ステップＳ２００）。次に、読み出した設定内容から設定モードを確認する。ここでは、マウス軌跡モードが設定されているので、強調箇所抽出部２ｈにおいて、データ記憶部２ｄの記憶内容に基づき、マウス軌跡モードに対応した強調箇所判断情報が記憶されているか否かを判定することになる。ここで、マウスポインタ軌跡情報は、プレゼンテーションの終了後に取得可能な情報であるので、プレゼンテーション終了前において、マウス軌跡モードによる強調箇所の抽出処理は不可能であり、その旨を示すメッセージを表示部２ｌに表示し（ステップＳ２１６）、抽出処理が失敗したことを示す失敗情報をデータ制御部２ｃに伝送する（ステップＳ２１８）。一方、強調箇所抽出部２ｈは、プレゼンテーション終了後であり、マウスポインタ軌跡情報を取得済みであれば、データ制御部２ｃを介してデータ記憶部２ｄからマウスポインタ軌跡情報を読み出す（ステップＳ２０６）。本実施の形態において、マウスポインタ軌跡情報は、図１９に示すように、ポインタ軌跡動作と、当該軌跡動作の強調レベルとが対応付けられたデータ構造となっている。
【０１５６】
一方、マウスポインタ軌跡情報の記録処理は、上記した表示時間時間情報生成処理と同様にプレゼンテーションの開始及び文書画像の表示をトリガとして、マウスポインタ軌跡記録部２ｆにおいて行われる。マウスポインタ軌跡記録部２ｆは、プレゼンテーションの開始及び文書画像の表示をトリガとして、まず、データ制御部２ｃを介してデータ記憶部２ｄから現在表示されている文書画像に対応した文書データを読み出すと共に（ステップＳ４０４）、表示部２ｌに表示された文書画像上のマウスポインタの位置情報及び現在の時間情報を取得し、これらの情報と、位置情報に対応した表示内容とを対応付けて記録する（ステップＳ５０６）。マウスポインタの位置情報と時間情報は、例えば、図２０に示すように、空間座標（ｘ，ｙ）と、各空間位置における時間情報とが対応付けられた構成となる。図２０の例のように、時間情報は、マウスポインタの表示位置の取得開始を「０」としてカウントを開始するタイマによって測定される時間を用いるようにする。この場合、タイマは、表示部２ｌの表示内容が切り替わるまでカウントを続行し、表示内容が切り替わるとカウントをクリアして再度「０」からカウントを再開することになる。上記したマウスポインタ軌跡情報の記録処理は、プレゼンテーションが終了するまで行われる。データ制御部２ｃにおいて、プレゼンテーションが終了したと判定されると（ステップＳ５０８）、マウスポインタ軌跡記録部２ｆにおいて、記録されたマウスポインタ軌跡情報を、データ制御部２ｃを介してデータ記憶部２ｄに記憶する（ステップＳ５１０）。
【０１５７】
強調箇所抽出部２ｈは、データ記憶部２ｄからマウスポインタ軌跡情報の読み出しに成功すると、更に、概要レベルの設定内容から、強調箇所判断情報の適用条件が設定されているか否かを判定する（ステップＳ２０８）。ここでは、適用条件として「強調レベル５」が設定されているので、この適用条件とマウスポインタ軌跡情報とに基づき、文書データから強調箇所が抽出される（ステップＳ２１０）。
【０１５８】
本実施の形態においては、図２１（ａ）に示すように、プレゼンテーション題目１のスライドにおいて、このスライドに含まれる文字列２に対し、図１９に示す強調レベル６のポインタ軌跡動作に該当するマウスポインタ軌跡情報が記録され、図２１（ｂ）に示すように、プレゼンテーション題目２のスライドにおいて、このスライドに含まれる文字列６に対し、図１９に示す強調レベル５のポインタ軌跡動作に該当するマウスポインタ軌跡情報が記録されたとする。従って、強調箇所抽出部２ｈにおいては、いずれも、適用条件として設定された強調レベルの閾値５以上である条件を満たすので、これらは強調箇所として判断される。この判断結果に基づき、本実施の形態においては、図２１（ａ）に示すスライドのデータから、文字列２と、プレゼンテーション題目１の文字列とに該当するデータを抽出し、図２１（ｂ）に示すスライドから、文字列６と、プレゼンテーション題目２の文字列とに該当するデータを抽出する。これら抽出結果は、データ制御部２ｃを介してデータ記憶部２ｄに記憶され、また、抽出処理が成功したことを示す成功情報がデータ制御部２ｃに伝送される。
【０１５９】
データ制御部２ｃにおいて、強調箇所の抽出処理が完了したと判定されると（ステップＳ１１２）、概要データ作成部２ｉにおいて、概要データの作成処理が開始される（ステップＳ１１４）。
概要データの作成処理が開始されると、概要データ作成部２ｉは、データ制御部２ｃを介してデータ記憶部２ｄから強調箇所抽出部２ｈの抽出結果及び概要レベルの設定内容を読み出す（ステップＳ３００）。概要レベルの設定内容から、構成条件が設定されているか否かを判定し（ステップＳ３０２）、この例では、適用条件のみ設定可能であるので構成条件は無いと判定される。従って、抽出結果のみに基づき概要データが作成される。概要データは、図２２に示すように、上記抽出した文字列を１つのスライドにまとめた構成のファイルとなる。作成された概要データは、データ制御部２ｃを介してデータ記憶部２ｄに記憶されると共に、概要データ作成処理が完了したことをデータ制御部２ｃに通知する。
【０１６０】
ここで、概要データ配信部２ｊにおける概要データの配信処理と、情報処理装置４における概要画像の表示処理は、上記時間情報モードの動作例と同様であるので説明を省略する。
このようにして、本実施の形態では、プレゼンテーションに用いる文書データの、表示時間、文字の設定種類、プレゼンテーション中における発表者のマウス操作によるマウスポインタ軌跡等のプレゼンテーションシステムに特化した情報に基づいて、文書データによって構成される文書画像の表示内容の概要データを生成するので、プレゼンテーション発表者の意図する内容をまとめた概要が作成しやすくなる。
【０１６１】
上記第１の実施の形態において、文書データ取得部２ｂは、発明２の文書データ取得手段に対応し、強調箇所抽出部２ｈは、発明１、２、７、８及び９のいずれか１の強調箇所抽出手段に対応し、概要データ作成部２ｉは、発明１、２及び８のいずれか１の概要データ作成手段に対応し、データ記憶部２ｄは、発明１、２、１２、１５、２９及び４３のいずれか１の概要データ記憶手段と、発明２、４、５、６、１９、２１、２２、２３、２９、３３、３５、３６、３７及び４３のいずれか１の強調箇所判断情報記憶手段とに対応し、表示時間情報生成部２ｅ及び表示時間測定部２ｍは、発明４の表示時間取得手段に対応し、マウスポインタ軌跡記録部２ｆは、発明５の指示軌跡取得手段に対応し、概要レベル設定部２ｇは、発明８の作成条件設定手段と、発明９の適用条件設定手段とに対応し、概要データ配信部２ｊ及びデータ通信部２ａによる概要データの送信処理は、発明１２又は１５の概要データ送信手段に対応する。
【０１６２】
また、上記第１の実施の形態において、画像投射部３ｄは、発明１２の文書画像表示手段に対応する。
また、上記第１の実施の形態において、データ通信部４ａ及び概要データ取得部４ｂによる概要データの取得処理は、発明１２の概要データ受信手段に対応し、概要画像表示処理部４ｅ及び表示部４ｆによる概要画像の表示処理は、発明１２の概要画像表示手段に対応する。
【０１６３】
また、上記第１の実施の形態において、ステップＳ１００は、発明１９、２９、３３及び４３のいずれか１の文書データ取得ステップに対応し、ステップＳ１０６は、発明２５若しくは３９の作成条件設定ステップ、又は発明２６若しくは４０の適用条件設定ステップに対応し、ステップＳ１１０は、発明１８、１９、２４、２５、２６、２９、３２、３３、３８、３９、４０及び４３のいずれか１の強調箇所抽出ステップに対応し、ステップＳ１１４は、発明１８、１９、２５、２９、３２、３３、３９及び４３のいずれか１の概要データ作成ステップに対応し、ステップＳ１１８は、発明２９又は４３の概要データ送信ステップに対応し、ステップＳ４００〜ステップＳ４３０は、発明２１又は３５の表示時間取得ステップ及び強調箇所判断情報記憶ステップに対応し、ステップＳ５００〜ステップＳ５１０は、発明２２又は３６の指示軌跡取得ステップ及び強調箇所判断情報記憶ステップに対応する。
【０１６４】
〔第２の実施の形態〕
以下、本発明の第２の実施の形態を図面に基づき説明する。図２３〜図３３は、本発明に係る文書概要作成装置、表示装置、情報処理装置、プレゼンテーションシステム、文書概要作成プログラム、文書概要作成装置制御プログラム、表示装置制御プログラム、情報処理装置制御プログラム、文書概要作成方法、文書概要作成装置制御方法、表示装置制御方法及び情報処理装置制御方法の第２の実施の形態を示す図である。
【０１６５】
本実施の形態は、本発明に係る文書概要作成装置、表示装置、情報処理装置、プレゼンテーションシステム、文書概要作成プログラム、文書概要作成装置制御プログラム、表示装置制御プログラム、情報処理装置制御プログラム、文書概要作成方法、文書概要作成装置制御方法、表示装置制御方法及び情報処理装置制御方法を、文書データから構成される文書画像を表示部に表示し、その表示結果を利用してプレゼンテーションを行うシステムに適用したものである。
【０１６６】
本実施の形態においては、プレゼンテーション中における発表者の音声データ、プレゼンテーション中における情報処理装置での文書画像の閲覧時間等の文書データ中の強調箇所を判断するための強調箇所判断情報を用いて、文書データから強調箇所に該当するデータを抽出し、当該抽出結果に基づき文書画像の表示内容の概要を作成する。
次に、本発明に係るプレゼンテーションシステム６の構成を図２３に基づき説明する。図２３は、本発明に係るプレゼンテーションシステム６の構成を示す概観図である。
【０１６７】
プレゼンテーションシステム６は、図２３に示すように、文書データ及び強調箇所判断情報に基づき、文書データの表示内容の概要を作成すると共に、文書データによって構成される文書画像をスクリーン５に投射表示する表示装置７と、表示装置７において作成された概要データを取得し、当該概要データによって構成される画像を自己の表示部に表示する情報処理装置８を複数と、表示装置７から光投射される文書画像を表示するスクリーン５とを含んだ構成となっている。そして、表示装置７は、複数の情報処理装置８と互いにデータ通信可能に接続されている。
【０１６８】
更に、図２４に基づき、表示装置７の詳細な構成を説明する。図２４は、表示装置７の詳細構成を示すブロック図である。
表示装置７は、図２４に示すように、データ通信部７ａと、文書データ取得部７ｂと、音声データ取得部７ｅと、音声情報生成部７ｆと、閲覧情報取得部７ｇとを含んだ構成となっている。
【０１６９】
データ通信部７ａは、外部装置からの文書データを受信したり、文書データや概要データ等を情報処理装置８に送信したりするなど、表示装置７とデータ通信可能な装置との間のデータ送受信を行う機能を有している。
文書データ取得部７ｂは、外部装置からの文書データをデータ通信部７ａを介して取得したり、ＣＤ−ＲＯＭ、ＤＶＤ−ＲＯＭ、ＵＳＢメモリ等の記憶媒体を介して文書データを取得したりする機能を有している。
【０１７０】
音声データ取得部７ｅは、マイク等の集音デバイスにより、プレゼンテーションにおける発表者の音声データを取得する機能を有している。
音声情報生成部７ｆは、データ制御部７ｃからの音声情報生成命令に応じて、音声データ取得部７ｅに、音声データの取得処理を行わせて、その取得結果と対応するページの文書データの情報とを対応付けてなる音声情報を生成する機能を有している。
【０１７１】
閲覧情報取得部７ｇは、情報処理装置８からの閲覧情報を、データ通信部７ａを介して取得する機能を有している。
表示装置７は、更に、データ制御部７ｃと、データ記憶部７ｄと、画像投射部７ｌとを含んだ構成となっている。
データ制御部７ｃは、音声情報生成部７ｆによって生成された音声情報、文書データ取得部７ｂによって取得した文書データ、閲覧情報取得部７ｇによって取得した閲覧情報等の各種データをデータ記憶部７ｄに記憶したり、データ記憶部７ｄに記憶された各種データを各構成要素に伝送したり、各構成要素間のデータ授受を制御したりするなど、表示装置７におけるデータの流れを統括性御する機能を有している。更に、発表者からの概要データ作成指示等の各処理のトリガとなる指示に応じて、各構成要素に対して指示に対応する命令を与える機能を有している。
【０１７２】
データ記憶部７ｄは、音声情報、閲覧情報などの強調箇所判断情報、文書データ、概要データ等の各種データを記憶する機能を有している。
画像投射部７ｌは、公知の液晶プロジェクタと同様の原理によって、表示指示のあった文書データの文書画像やメッセージ画像等をスクリーン５に光投射する機能を有している。
【０１７３】
表示装置７は、更に、概要レベル設定部７ｈと、強調箇所抽出部７ｉと、概要データ作成部７ｊと、概要データ配信部７ｋとを含んだ構成となっている。
概要レベル設定部７ｈは、作成する概要に表紙ページを含めるか否かを設定したり、作成する概要の総ページ数を設定したり、強調箇所と判断する音声の強調レベルの閾値を設定したり、強調箇所と判断する閲覧時間の閾値を設定したりするなど、作成する概要の構成条件、及び適用条件を設定する機能を有している。
【０１７４】
強調箇所抽出部７ｉは、発表者からの概要データの作成指示に応じて動作し、概要レベル設定部７ｈの設定内容と、当該設定内容に応じた強調箇所判断情報とに基づき、文書データから強調箇所に該当するデータを抽出する機能を有している。
概要データ作成部７ｊは、強調箇所抽出部７ｉの抽出結果と、概要レベル設定部７ｈの設定内容とに基づき、文書画像の表示内容の概要を作成する機能を有している。
【０１７５】
概要データ配信部７ｋは、概要データ作成部７ｊにおいて作成された概要データを、データ通信部７ａを介して情報処理装置８に送信する機能を有している。
ここで、概要レベル設定部７ｈ、強調箇所抽出部７ｉ、概要データ作成部７ｊ及び概要データ配信部７ｋは、取り扱うデータや処理内容が多少異なるだけで、上記第１の実施の形態における、概要レベル設定部２ｇ、強調箇所抽出部２ｈ、概要データ作成部２ｉ及び概要データ配信部７ｋと略同等の機能を有している。
【０１７６】
また、表示装置７は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１７７】
また、本実施の形態においては、プレゼンテーションの発表者が、表示装置７の使用者であるとして説明を行う。
更に、図２５に基づき、情報処理装置８の詳細な構成を説明する。図２５は、情報処理装置８の詳細構成を示すブロック図である。
情報処理装置８は、図２５に示すように、データ通信部８ａと、文書データ取得部８ｂと、データ制御部８ｃと、データ記憶部８ｄと、文書画像表示処理部８ｅと、表示部８ｆと、閲覧情報生成部８ｇと、閲覧時間測定部８ｈと、概要データ取得部８ｉと、概要画像表示処理部８ｊとを含んだ構成となっている。
【０１７８】
データ通信部８ａは、表示装置７からの文書データや概要データ等を受信するなど、情報処理装置８とデータ通信可能な装置との間のデータ送受信を行う機能を有している。
文書データ取得部８ｂは、データ通信部８ａを介して表示装置７から送信された文書データを取得する機能を有している。
データ制御部８ｃは、文書データ取得部８ｂにおいて取得した文書データをデータ記憶部８ｄに記憶したり、概要データ取得部８ｂにおいて取得した概要データをデータ記憶部８ｄに記憶したり、閲覧情報生成部８ｇにおいて生成された閲覧情報をデータ記憶部８ｄに記憶したり、各構成要素間のデータの授受を制御したりするなど、情報処理装置８におけるデータの流れを統括制御する機能を有している。
【０１７９】
データ記憶部８ｄは、文書データ及び概要データ等の取得データや、その他処理に必要なデータ等の各種データを記憶する機能を有している。
文書画像表示処理部８ｅは、表示指示のあった文書データの画像を表示部８ｆに表示するために、文書データを画像信号に変換する機能を有している。
表示部８ｆは、文書画像表示処理部８ｅ及び概要画像表示処理部８ｊからの画像信号に基づき、文書データによって構成される文書画像及び概要データによって構成される概要画像を表示する機能を有している。
【０１８０】
閲覧情報生成部８ｇは、データ制御部８ｃからの閲覧情報の生成命令に応じて、閲覧時間測定部８ｈに、表示部８ｆに表示された文書画像の各ページ毎の表示時間（以下、閲覧時間と称す）を測定させ、当該測定結果と、これに対応する表示内容の情報とを対応付けてなる閲覧情報を生成する機能を有している。
閲覧時間測定部８ｈは、閲覧情報生成部８ｇからの指示に応じて、表示部８ｆに表示された文書画像の各ページ毎の表示時間（以下、閲覧時間と称す）をタイマにより測定する機能を有している。
【０１８１】
概要データ取得部８ｉは、データ通信部８ａを介して表示装置７から送信された概要データを取得する機能を有している。
概要画像表示処理部８ｊは、表示指示のあった概要データの画像を表示部８ｆに表示するために、概要データを画像信号に変換する機能を有している。
ここで、情報処理装置８は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１８２】
また、本実施の形態においては、プレゼンテーションの聴講者が、情報処理装置８の使用者であるとして説明を行う。
更に、表示装置７は、ＣＰＵによって、ＲＯＭの所定領域に格納されている所定のプログラムを起動させ、そのプログラムに従って、図２６のフローチャートに示す概要データ作成処理を実行するようになっている。以下、発表者が表示装置７の使用者であるとして説明を行う。
【０１８３】
図２６は、表示装置７における概要データ作成処理を示すフローチャートである。本フローチャートの処理は、上記第１の実施の形態における、図５のフローチャートにおいて、閲覧情報の取得処理が追加されたのみであるので、以下では、追加部分を含むステップＳ８００〜ステップＳ８０６の説明のみ行う。
概要データ作成処理は、ＣＰＵによって実行されると、図２６に示すように、まず、ステップＳ８００に移行するようになっている。
【０１８４】
ステップＳ８００では、データ制御部８ｃにおいて、文書データ取得部８ｂを介して、文書データを取得したか否かを判定し、取得したと判定された場合(Yes)はステップＳ８０２に移行し、そうでない場合(No)はステップＳ８０４に移行する。
ステップＳ８０２に移行した場合は、データ制御部８ｃにおいて、ステップＳ８００で取得したデータをデータ記憶部８ｄに記憶してステップＳ８０４に移行する。
【０１８５】
ステップＳ８０４では、データ制御部８ｃにおいて、閲覧情報取得部７ｇを介して、情報処理装置４からの閲覧情報を取得したか否かを判定し、取得したと判定された場合(Yes)はステップＳ８０６に移行し、そうでない場合(No)はステップＳ８２４に移行する。
ステップＳ８０６に移行した場合は、データ制御部８ｃにおいて、ステップＳ８０４で取得した閲覧情報をデータ記憶部８ｄに記憶してステップＳ８０８に移行する。
【０１８６】
これ以降の、ステップＳ８０８〜ステップＳ８２４の処理は、上記第１の実施の形態における、図５のフローチャートのステップＳ１０４〜ステップＳ１２０の処理と同様であるので説明を省略する。
また、ステップＳ８１４の強調箇所抽出処理は、上記第１の実施の形態における、図６のフローチャートと同様の処理となるので説明を省略する。
【０１８７】
また、ステップＳ８２０の概要データ作成処理は、上記第１の実施の形態における、図７のフローチャートと同様の処理となるので説明を省略する。
但し、上記第１の実施の形態とは、ステップＳ８１４の強調箇所抽出処理において用いる強調箇所判断情報が異なるため、その具体的内容については、以降に記載する、実施の形態の動作において説明する。
【０１８８】
次に、図２７に基づき、表示装置７における、音声情報生成処理を詳細に説明する。
図２７は、表示装置７における、音声情報生成処理を示すフローチャートである。
音声情報生成処理は、ＣＰＵによって実行されると、図２７に示すように、まず、ステップＳ９００に移行するようになっている。
ステップＳ９００では、データ制御部７ｃにおいて、発表者からのプレゼンテーション開始指示があったか否かを判定し、開始指示があったと判定された場合(Yes)は、開始を示す信号及び文書データをデータ通信部７ａを介して情報処理装置８に送信してステップＳ９０２に移行し、そうでない場合(No)は判定処理を継続する。
【０１８９】
ステップＳ９０２に移行した場合は、データ制御部７ｃにおいて、スクリーン５に文書画像が表示されているか否かを判定し、表示されていると判定された場合(Yes)は、音声情報生成部７ｆに音声情報生成命令を伝送してステップＳ９０４に移行し、そうでない場合(No)は判定処理を継続する。
ステップＳ９０４に移行した場合は、音声情報生成部７ｆにおいて、データ制御部７ｃを介してデータ記憶部７ｄからスクリーン５に表示されている文書画像の文書データを読み出してステップＳ９０６に移行する。
【０１９０】
ステップＳ９０６では、音声情報生成部７ｆにおいて、音声データ取得部７ｅに音声データの取得処理を開始させてステップＳ９０８に移行する。音声データの取得は、発表者がプレゼンテーションに用いるマイクに入力された音声を、図示しないＡ／Ｄ変換器に入力してＡ／Ｄ変換し、このデジタルデータに変換された音声データを取得する。
ステップＳ９０８では、音声データ取得部７ｅにおいて、音声データを取得したか否かを判定し、取得したと判定された場合(Yes)はステップＳ９１０に移行し、そうでない場合(No)はステップＳ９１４に移行する。
【０１９１】
ステップＳ９１０に移行した場合は、音声情報生成部７ｆにおいて、ステップＳ９０８で取得した音声データと、スクリーン５の表示内容に該当する文書データの情報とを対応付けてなる音声情報を生成してステップＳ９１２に移行する。音声情報の生成においては、取得した音声データを音声認識によりテキスト化し、表示された文書画像中に含まれる文言の中から、発表者の発声した文言と一致するものを抽出する。そして、抽出した文言と音声データから導出される音声レベル（ｄＢ）とを対応付けることで音声情報を生成する。
【０１９２】
ステップＳ９１２では、音声情報生成部７ｆにおいて、ステップＳ９１０で生成した音声情報を、データ制御部７ｃを介してデータ記憶部７ｄに記憶してステップＳ９０８に移行する。
一方、ステップＳ９０８において、音声データが取得されずにステップＳ９１４に移行した場合は、データ制御部７ｃにおいて、発表者からのプレゼンテーション終了指示があったか否かを判定し、終了指示があったと判定された場合(Yes)は、終了を示す信号をデータ通信部７ａを介して情報処理装置８に送信してステップＳ９００に移行し、そうでない場合(No)はステップＳ９０８に移行する。
【０１９３】
更に、情報処理装置８は、ＣＰＵによって、ＲＯＭの所定領域に格納されている所定のプログラムを起動させ、そのプログラムに従って、図２８のフローチャートに示す閲覧情報の生成処理を実行するようになっている。
図２８は、情報処理装置８における、閲覧情報生成処理を示すフローチャートである。
閲覧情報生成処理は、ＣＰＵによって実行されると、図２８に示すように、まず、ステップＳ１０００に移行するようになっている。
【０１９４】
ステップＳ１０００では、データ制御部８ｃにおいて、文書データ取得部８ｂを介して表示装置７からの文書データ及び開始信号を取得したか否かを判定し、取得したと判定された場合(Yes)はステップＳ１００２に移行し、そうでない場合(No)は判定処理を継続する。
ステップＳ１００２に移行した場合は、データ制御部８ｃにおいて、文書データ取得部
８ｂで取得した文書データを、データ記憶部８ｄに記憶してステップＳ１００４に移行する。
【０１９５】
ステップＳ１００４に移行した場合は、データ制御部８ｃにおいて、表示部８ｆに文書画像が表示されているか否かを判定し、表示されていると判定された場合(Yes)は、閲覧情報生成部８ｇに閲覧情報生成命令を伝送してステップＳ１００６に移行し、そうでない場合(No)は判定処理を継続する。
ステップＳ１００６に移行した場合は、閲覧情報生成部８ｇにおいて、データ制御部８ｃを介してデータ記憶部８ｄから表示部８ｆで表示されている文書画像の文書データを読み出してステップＳ１００８に移行する。
【０１９６】
ステップＳ１００８では、閲覧情報生成部８ｇにおいて、閲覧時間測定部８ｈのタイマを作動させて閲覧時間の測定を開始しステップＳ１０１０に移行する。
ステップＳ１０１０では、データ制御部８ｃにおいて、表示部２ｌの表示内容が切り替えられたか否かを判定し、切り替えられたと判定された場合(Yes)は、そのことを閲覧情報生成部８ｇに通知してステップＳ１０１２に移行し、そうでない場合(No)は、そのことを閲覧情報生成部８ｇに通知してステップＳ１０２２に移行する。
【０１９７】
ステップＳ１０１２に移行した場合は、閲覧情報生成部８ｇにおいて、閲覧時間測定部８ｈの測定時間を記憶してステップＳ１０１４に移行する。
ステップＳ１０１４では、閲覧情報生成部８ｇにおいて、閲覧時間測定部８ｈのタイマのカウント値をクリアしてステップＳ１０１６に移行する。
ステップ１０１６では、閲覧情報生成部８ｇにおいて、閲覧時間測定部８ｈのタイマを作動して切替後の画像の表示時間の測定を開始してステップＳ１０１８に移行する。
【０１９８】
ステップＳ１０１８では、閲覧情報生成部８ｇにおいて、ステップＳ１００６で読み出した文書データと、ステップＳ１０１２で記憶した閲覧時間とに基づき、閲覧時間と、文書データにおける当該閲覧時間に対応する部分のデータとを対応付けて閲覧情報を生成してステップＳ１０２０に移行する。
ステップＳ１０２０では、閲覧情報生成部８ｇにおいて、データ制御部８ｃを介してデータ記憶部８ｄに、ステップＳ１０１８で生成した表示時間情報を記憶してステップＳ１０１０に移行する。
【０１９９】
一方、ステップＳ１０１０において、文書画像の表示内容が切り替わらず、ステップＳ１０２２に移行した場合は、データ制御部８ｃにおいて、文書画像の表示処理が終了したか否かを判定し、終了したと判定された場合(Yes)は、そのことを閲覧情報生成部８ｇに通知してステップＳ１０２４に移行し、そうでない場合(No)は、そのことを閲覧情報生成部８ｇに通知してステップＳ１０３４に移行する。
【０２００】
ステップＳ１０２４に移行した場合は、閲覧情報生成部８ｇにおいて、閲覧時間測定部８ｈの測定時間を記憶してステップＳ１０２６に移行する。
ステップＳ１０２６では、閲覧情報生成部８ｇにおいて、ステップＳ１００６で読み出した文書データと、ステップＳ１０２４で記憶した閲覧時間とに基づき、閲覧時間と、文書データにおける当該閲覧時間に対応する部分のデータとを対応付けて閲覧情報を生成してステップＳ１０２８に移行する。
【０２０１】
ステップＳ１０２８では、閲覧情報生成部８ｇにおいて、データ制御部８ｃを介してデータ記憶部８ｄに、ステップＳ１０２６で生成した閲覧情報を記憶してステップＳ１０３０に移行する。
ステップＳ１０３０では、データ制御部８ｃにおいて、表示装置７からの終了信号を取得したか否かを判定し、取得したと判定された場合(Yes)はステップＳ１０３２に移行し、そうでない場合(No)はステップＳ１０００に移行する。
【０２０２】
ステップＳ１０３２に移行した場合は、データ制御部８ｃにおいて、データ記憶部８ｄに記憶された、ステップＳ１０３０の終了信号に対応した閲覧情報を読み出し、当該読み出した閲覧情報を、データ通信部８ａを介して表示装置７に送信してステップＳ１０００に移行する。
一方、ステップＳ１０２２において、文書画像の表示処理が終了せずに、ステップＳ１０３４に移行した場合は、閲覧時間の測定を継続してステップＳ１０１０に移行する。
【０２０３】
次に、図２９〜図３３に基づき、本実施の形態の動作を説明する。
本実施の形態においては、文書データから強調箇所を抽出するモードとして、（１）プレゼンテーション中における発表者の発声内容に基づき強調箇所を抽出する音声情報モードと、（２）情報処理装置８における文書データの各ページ毎の表示内容（以下、スライドと称す）の閲覧時間に基づき強調箇所を抽出する閲覧時間モードとが設定可能となっている。
【０２０４】
ここで、図２９は、音声レベルに対する強調レベルの設定例を示す図であり、図３０（ａ）及び（ｂ）は、スライド中の文字列に対応付けられた音声レベルの一例を示す図であり、図３１は、音声情報モードにおける概要データの一例を示す図である。
また、図３２は、情報処理装置８における文書データにおけるスライド毎の閲覧時間の一例を示す図であり、図３３は、閲覧時間モードにおける概要データの一例を示す図である。
【０２０５】
ここで、以降は、上記第１の実施の形態と異なる部分を中心に説明を行う。
以下、図２９〜図３１に基づき、強調箇所の抽出モードとして、音声情報モードが設定された場合の動作を説明する。
音声情報モードが設定された場合に、本実施の形態においては、概要レベルとして、図２９に示すように、音声レベルに対して設定された強調レベルに対する閾値（適用条件）を設定できる。つまり、強調箇所の抽出において、設定された強調レベル以上の音声レベルに対応する箇所が強調箇所として判断されることになる。ここでは、概要レベルとして、強調レベルの閾値「７」が設定されたとする。概要レベルの設定内容は設定モード（ここでは、音声情報モード）と共に、データ制御部７ｃを介してデータ記憶部７ｄに記憶される。これにより、データ制御部７ｃにおいて、概要レベルの設定が完了したと判定され（ステップＳ８１２）、強調箇所抽出部７ｉにおいて、強調箇所の抽出処理が開始される（ステップＳ８１４）。
【０２０６】
強調箇所の抽出処理が開始されると、強調箇所抽出部７ｉは、作成指示に対応した文書データ及び概要レベルの設定内容を、データ制御部７ｃを介してデータ記憶部７ｄから読み出す（ステップＳ２００）。次に、読み出した設定内容から設定モードを確認する。ここでは、音声情報モードが設定されているので、強調箇所抽出部７ｉにおいて、データ記憶部７ｄの記憶内容に基づき、読み出した文書データに対応した音声情報が取得されているか否かを判定することになる。ここで、音声情報は、プレゼンテーションの終了後に取得可能な情報であるので、プレゼンテーション終了前において、音声情報モードによる強調箇所の抽出処理は不可能であり、その旨を示すメッセージをスクリーン５（あるいは、図示しない表示部）に表示し（ステップＳ２１６）、抽出処理が失敗したことを示す失敗情報をデータ制御部７ｃに伝送する（ステップＳ２１８）。一方、強調箇所抽出部７ｉは、プレゼンテーション終了後であり、音声情報を取得済みであれば、データ制御部７ｃを介してデータ記憶部７ｄから音声情報を読み出す（ステップＳ２０６）。
【０２０７】
一方、音声情報の生成処理は、プレゼンテーションの開始及び文書画像の表示をトリガとして、音声情報生成部７ｆにおいて行われる。プレゼンテーションの開始は、上記第１の実施の形態と同様に、発表者によって「開始ボタン」が押下されると、データ制御部７ｃにおいて、プレゼンテーションが開始されたと判定され（ステップＳ９００）、発表者の表示指示により、スクリーン５に文書画像が表示されると、データ制御部７ｃにおいてスクリーン５に文書画像が表示されたと判定される（ステップＳ９０２）。音声情報生成部７ｆは、プレゼンテーションの開始及び文書画像の表示をトリガとして、まず、データ制御部７ｃを介してデータ記憶部７ｄから現在表示されている文書画像に対応した文書データを読み出すと共に（ステップＳ９０４）、音声データ取得部７ｅに音声データの取得処理を開始させる（ステップＳ９０６）。音声データ取得部７ｅにおいて、音声データの取得が開始されると、発表者が所持するマイクに入力された発表者の音声をＡ／Ｄ変換して音声データを生成し、これを取得する（ステップＳ９０８）。音声データが取得されると、音声情報生成部７ｆにおいて、音声認識によって音声データの文言を認識し、表示された文書画像中に認識された文言に対応する文字列が含まれている場合は、音声データから導出される音声レベルと、対応する文字列とを対応付けて音声情報を生成する（ステップＳ９１０）。音声情報が生成されると、当該音声情報を、データ制御部７ｃを介してデータ記憶部に記憶する（ステップＳ９１２）。この音声情報生成処理は、プレゼンテーションが終了するまで繰り返し行われることになる。また、本実施の形態においては、音声情報生成処理が行われている間は、強調箇所の抽出処理が出来ないようになっている。
【０２０８】
強調箇所抽出部７ｉは、データ記憶部７ｄから音声情報の読み出しに成功すると、更に、概要レベルの設定内容から、強調箇所判断情報の適用条件が設定されているか否かを判定する（ステップＳ２０８）。ここでは、適用条件として「強調レベルの閾値４」が設定されているので、この適用条件と音声情報とに基づき、音声データから強調箇所を抽出する（ステップＳ２１０）。強調レベルの閾値は「７」であるので、図２９より、音声レベルが７０［ｄＢ］以上の文字列が全て抽出されることになる。図３０（ａ）に示す例では、プレゼンテーション題目１のスライドに含まれる、文字列１〜３が６５［ｄＢ］、文字列４及び５が７３［ｄＢ］となっており、図３０（ｂ）に示す例では、プレゼンテーション題目２のスライドに含まれる、文字列６及び７が７８［ｄＢ］、文字列８〜１０が６０［ｄＢ］となっている。本実施の形態においては、プレゼンテーション題目１のスライドに含まれる、プレゼンテーション題目１の文字列と、文字列４及び５とに対応するデータが強調箇所として抽出され、プレゼンテーション題目２のスライドに含まれる、プレゼンテーション題目２の文字列と、文字列６及び７とに対応するデータが強調箇所として抽出される。これら抽出結果は、データ制御部７ｃを介してデータ記憶部７ｄに記憶され、また、抽出処理が成功したことを示す成功情報がデータ制御部７ｃに伝送される。
【０２０９】
データ制御部７ｃにおいて、強調箇所抽出部７ｉからの成功情報に基づき、強調箇所の抽出処理が成功したと判定されると（ステップＳ８１６）、概要データ作成部７ｊにおいて、概要データの作成処理が開始される（ステップＳ８１８）。
概要データの作成処理が開始されると、概要データ作成部７ｊは、データ制御部７ｃを介してデータ記憶部７ｄから強調箇所抽出部７ｉの抽出結果及び概要レベルの設定内容を読み出す（ステップＳ３００）。概要レベルの設定内容から、構成条件が設定されているか否かを判定し（ステップＳ３０２）、ここでは、適用条件のみが設定されているので、構成条件は無いと判定される。従って、抽出結果のみに基づき概要データが作成される。概要データは、図３１に示すように、プレゼンテーション題目１の文字列と、文字列４及び５と、プレゼンテーション題目２の文字列と、文字列６及び７とが１枚のスライドにまとめられた構成のファイルとなる。作成された概要データは、データ制御部７ｃを介してデータ記憶部７ｄに記憶されると共に、概要データ作成処理が完了したことをデータ制御部７ｃに通知する。
【０２１０】
ここで、概要データ配信部７ｋにおける概要データの配信処理と、情報処理装置８における概要画像の表示処理は、上記第１の実施の形態における、概要データ配信部２ｊの概要データの配信処理と、情報処理装置４の概要画像の表示処理と同様であるので説明を省略する。
次に、図３２及び図３３に基づき、強調箇所の抽出モードとして、閲覧時間モードが設定された場合の動作を説明する。
【０２１１】
この場合は、概要レベルとして、強調箇所と判断する閲覧時間（適用条件）と、概要の総枚数（閲覧時間モードの場合は適用条件、それ以外は構成条件）と、表紙を概要に含めるか否か（適用条件）とが設定可能となっている。ここでは、閲覧時間を設定せず、概要の総枚数（４枚）及び表紙を概要に含める設定を行い概要レベルの設定を完了する。概要レベルの設定内容は設定モード（ここでは、閲覧時間モード）と共に、データ制御部７ｃを介してデータ記憶部７ｄに記憶される。これにより、データ制御部７ｃにおいて、概要レベルの設定が完了したと判定され（ステップＳ８１２）、強調箇所抽出部７ｉにおいて、強調箇所の抽出処理が開始される（ステップＳ８１４）。
【０２１２】
強調箇所の抽出処理が開始されると、強調箇所抽出部７ｉは、作成指示に対応した文書データ及び概要レベルの設定内容を、データ制御部７ｃを介してデータ記憶部７ｄから読み出す（ステップＳ２００）。次に、読み出した設定内容から設定モードを確認する。ここでは、閲覧時間モードが設定されているので、強調箇所抽出部７ｉにおいて、データ記憶部７ｄの記憶内容に基づき、読み出した文書データに対応した閲覧情報が取得されているか否かを判定することになる。ここで、閲覧情報は、プレゼンテーションの終了後に、情報処理装置８から取得可能な情報であるので、プレゼンテーション終了前において、閲覧時間モードによる強調箇所の抽出処理は不可能であり、その旨を示すメッセージをスクリーン５（あるいは、図示しない表示部）に表示し（ステップＳ２１６）、抽出処理が失敗したことを示す失敗情報をデータ制御部７ｃに伝送する（ステップＳ２１８）。一方、強調箇所抽出部７ｉは、プレゼンテーション終了後であり、音声情報を取得済みであれば、データ制御部７ｃを介してデータ記憶部７ｄから音声情報を読み出す（ステップＳ２０６）。
【０２１３】
本実施の形態において、閲覧情報は、図３２に示すように、測定した閲覧時間と、この時間に対応する文書データを構成する各スライドの番号（ページ番号）とが一対一に対応付けられたデータ構造となっている。
一方、閲覧情報の生成処理は、情報処理装置８において行われる処理であり、表示装置７からのプレゼンテーションの開始信号をトリガとして、閲覧情報生成部８ｇにおいて行われる。つまり、データ制御部８ｃにおいて、開始信号を取得したと判定されると、表示部７においてプレゼンテーションが開始されたと判定され（ステップＳ１０００）、聴講者の表示指示により、表示部８ｆに文書画像が表示されると、データ制御部８ｃにおいて表示部８ｆに文書画像が表示されたと判定される（ステップＳ１００４）。閲覧情報生成部８ｇは、まず、データ制御部８ｃを介してデータ記憶部８ｄから現在表示されている文書画像に対応した文書データを読み出すと共に（ステップＳ１００６）、閲覧時間測定部８ｈに、表示部８ｆに表示された文書画像の閲覧時間の測定を開始させる（ステップＳ１００８）。閲覧時間の測定は、表示部８ｆの表示内容が切り替わる毎に（ステップＳ１０１０）、測定時間の記憶（ステップＳ１０１２）、閲覧時間測定部８ｈのタイマのクリア（ステップＳ１０１４）、タイマにより次の表示内容の閲覧時間測定開始（ステップＳ１０１６）の順で行われる。一方、閲覧時間が記憶されると、閲覧情報生成部８ｇにおいて、当該記憶された閲覧時間と対応する表示内容（スライド）の情報とを対応付けて閲覧情報を生成する（ステップＳ１０１８）。生成された閲覧情報は、データ制御部８ｃを介してデータ記憶部８ｄに記憶される（ステップＳ４１８）。この閲覧情報生成処理は、表示装置７からの終了信号を取得するまで繰り返し行われることになる。終了信号を取得すると、データ制御部８ｃにおいて、当該終了信号に対応した閲覧情報を、データ記憶部８ｄから読み出し、当該読み出した閲覧情報を、データ通信部８ａを介して表示装置７に送信する。
【０２１４】
強調箇所抽出部７ｉは、データ記憶部７ｄから閲覧情報の読み出しに成功すると、更に、概要レベルの設定内容から、強調箇所判断情報の適用条件が設定されているか否かを判定する（ステップＳ２０８）。ここでは、適用条件として「総枚数（４枚）」及び「表紙も概要に含む」が設定されているので、これら適用条件と図３２に示す閲覧情報とに基づき、表紙のスライドと、閲覧時間の長い方から順に上位３ページ分のスライドとが文書データから抽出される（ステップＳ２１０）。抽出結果は、表紙であるスライド１と、閲覧時間が６５秒のスライド３と、閲覧時間が５０秒のスライド１０と、閲覧時間が４２秒のスライド５との計４枚となる。これら抽出結果は、データ制御部７ｃを介してデータ記憶部７ｄに記憶され、また、抽出処理が成功したことを示す成功情報がデータ制御部７ｃに伝送される。
【０２１５】
データ制御部７ｃにおいて、強調箇所抽出部７ｉからの成功情報に基づき、強調箇所の抽出処理が成功したと判定されると（ステップＳ８１６）、概要データ作成部７ｊにおいて、概要データの作成処理が開始される（ステップＳ８１８）。
概要データの作成処理が開始されると、概要データ作成部７ｊは、データ制御部７ｃを介してデータ記憶部７ｄから強調箇所抽出部７ｉの抽出結果及び概要レベルの設定内容を読み出す（ステップＳ３００）。概要レベルの設定内容から、構成条件が設定されているか否かを判定し（ステップＳ３０２）、ここでは、適用条件のみが設定されているので、構成条件は無いと判定される。従って、抽出結果のみに基づき概要データが作成される。概要データは、図３３に示すように、スライド番号の若い順にページ番号が付された、表紙であるスライド１、スライド３、スライド５及びスライド１０の４枚のスライドにより構成されたファイルとなる。作成された概要データは、データ制御部７ｃを介してデータ記憶部７ｄに記憶されると共に、概要データ作成処理が完了したことをデータ制御部７ｃに通知する。
【０２１６】
ここで、概要データ配信部７ｋにおける概要データの配信処理と、情報処理装置８における概要画像の表示処理は、上記第１の実施の形態における、概要データ配信部２ｊの概要データの配信処理と、情報処理装置４の概要画像の表示処理と同様であるので説明を省略する。
このようにして、本実施の形態では、プレゼンテーション中における発表者の音声データといったプレゼンテーションシステムに特化した情報に基づいて、文書データによって構成される文書画像の表示内容の概要データを生成するので、プレゼンテーション発表者の意図する内容をまとめた概要が作成しやすくなる。
【０２１７】
更に、プレゼンテーション中における情報処理装置８における聴講者の文書画像の閲覧時間といったプレゼンテーションシステムに特化した情報に基づいて、文書データによって構成される文書画像の表示内容の概要データを生成するので、聴講者の意図する内容を反映した概要を作成することができる。
上記第２の実施の形態において、文書データ取得部７ｂは、発明２の文書データ取得手段に対応し、強調箇所抽出部７ｉは、発明１、２、７、８及び９のいずれか１の強調箇所抽出手段に対応し、概要データ作成部７ｊは、発明１、２、８、１３及び１６のいずれか１の概要データ作成手段に対応し、データ記憶部７ｄは、発明１、２及び３０のいずれか１の概要データ記憶手段と、発明２、４、５、６、１４、１６、１９、２１、２２、２３、３０、３３、３５、３６、３７及び４４のいずれか１の強調箇所判断情報記憶手段とに対応し、音声データ取得部７ｅは、発明６の音声データ取得手段に対応し、概要レベル設定部７ｈは、発明８の作成条件設定手段と、発明９の適用条件設定手段とに対応し、概要データ配信部７ｋ及びデータ通信部７ａによる概要データの送信処理は、発明１１、１３及び１６のいずれか１の概要データ出力手段に対応し、閲覧情報取得部７ｇは、発明１４又は１６の閲覧情報受信手段に対応し、画像投射部７ｌは、発明１１の文書画像表示手段に対応する。
【０２１８】
また、上記第２の実施の形態において、データ通信部８ａ及び文書データ取得部８ｂによる文書データの取得処理は、発明１３又は１７の文書データ受信手段に対応し、データ通信部８ａ及び概要データ取得部８ｉによる概要データの取得処理は、発明１３又は１７の概要データ受信手段に対応し、文書画像表示処理部８ｅ及び表示部８ｆによる文書画像の表示処理は、発明１３、１４及び１７のいずれか１の文書画像副表示手段に対応し、概要画像表示処理部８ｊ及び表示部８ｆによる概要画像の表示処理は、発明１３又は１７の概要画像表示手段に対応し、閲覧時間測定部８ｈは、発明１４又は１７の表示時間計測手段に対応し、閲覧情報生成部８ｇは、発明１４又は１７の閲覧情報生成手段に対応する。
【０２１９】
また、上記第２の実施の形態において、ステップＳ８００は、発明１９、３０、３３及び４４のいずれか１の文書データ取得ステップに対応し、ステップＳ８０４は、発明３０又は４４の閲覧情報受信ステップに対応し、ステップＳ８１０は、発明２５若しくは３９の作成条件設定ステップ、又は発明２６若しくは４０の適用条件設定ステップに対応し、ステップＳ８１４は、発明１８、１９、２４、２５、２６、３０、３２、３３、３８、３９、４０及び４４のいずれか１の強調箇所抽出ステップに対応し、ステップＳ８１８は、発明１８、１９、２５、３０、３２、３３、３９及び４４のいずれか１の概要データ作成ステップに対応し、ステップＳ８２２は、発明２９又は４３の概要データ送信ステップに対応し、ステップＳ９００〜ステップＳ９１４は、発明２３又は３７の音声データ取得ステップ及び強調箇所判断情報記憶ステップに対応する。
【０２２０】
また、上記第２の実施の形態において、ステップＳ１０００は、発明３１又は４５の文書データ受信ステップに対応し、ステップＳ１００８，Ｓ１０１６は、発明３１又は４５の表示時間計測ステップに対応し、ステップＳ１０１８，ステップＳ１０２６は、発明３１又は４５の閲覧情報生成ステップに対応し、ステップＳ１０３２は、発明３１又は４５の閲覧情報送信ステップに対応する。
【０２２１】
なお、上記第１の実施の形態において、文書概要作成装置２が表示時間の測定及び表示時間情報の生成処理を行う構成を説明したが、これに限らず、表示装置３が表示時間測定部及び表示時間情報生成部を備え、文書概要作成装置２は、表示装置３から表示時間情報を取得する構成としても良いし、表示時間の測定及び表示時間情報の生成処理を行う装置を別途設けるようにしても良い。
【０２２２】
また、上記第１の実施の形態において、発表者側の管理下にある文書概要作成装置２において作成された概要データを、聴講者側の管理下にある情報処理装置４において閲覧する構成を説明したが、これに限らず、例えば、文書概要作成装置２における、表示時間測定部、表示時間情報生成部、マウスポインタ軌跡記録部等の強調箇所判断情報を生成する機能部を有した装置を設け、当該装置から強調箇所判断情報を取得して概要データを生成すると共に、概要画像を表示できる装置を聴講者が所持するといったように、概要データの作成機能を有した装置を聴講者側が所持するような構成にしても良い。
【０２２３】
また、上記実施の形態において、表示時間モード、マウス軌跡モード、音声情報モード、閲覧時間モードなどの中から１種類のモードを選択し、このモードに応じた強調箇所判断情報を用いて強調箇所の抽出処理を行うようにしたが、これに限らず、複数のモードを組み合わせ、複数の強調箇所判断情報を用いて文書データから強調箇所の抽出を行うようにしても良い。
【０２２４】
また、上記実施の形態において、図５〜１１、２７及び図２８のフローチャートに示す処理を実行するにあたっては、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【図面の簡単な説明】
【０２２５】
【図１】本発明に係るプレゼンテーションシステム１の構成を示す概観図である。
【図２】文書概要作成装置２の詳細構成を示すブロック図である。
【図３】表示装置３の詳細構成を示すブロック図である。
【図４】情報処理装置４の詳細構成を示すブロック図である。
【図５】文書概要作成装置２における概要データ作成処理を示すフローチャートである。
【図６】文書概要作成装置２における、強調箇所抽出処理を示すフローチャートである。
【図７】文書概要作成装置２における、概要データ作成処理を示すフローチャートである。
【図８】文書概要作成装置２における、表示時間情報生成処理を示すフローチャートである。
【図９】文書概要作成装置２における、マウスポインタ軌跡記録処理を示すフローチャートである。
【図１０】表示装置３における文書画像の表示処理を示すフローチャートである。
【図１１】情報処理装置４における概要画像の表示処理を示すフローチャートである。
【図１２】表示時間モード選択時の概要レベルの設定例を示す図である。
【図１３】スライドの表示時間情報の一例を示す図である。
【図１４】抽出結果の一例を示す図である。
【図１５】フォントモード選択時の概要レベルの設定例を示す図である。
【図１６】フォント設定種類に対する強調レベルの一例を示す図である。
【図１７】抽出結果の一例を示す図である。
【図１８】概要データの一例を示す図である。
【図１９】マウスポインタ軌跡に対する強調レベルの一例を示す図である。
【図２０】マウスポインタ軌跡の記録例を示す図である。
【図２１】（ａ）及び（ｂ）は、マウスポインタの移動軌跡の一例を示す図である。
【図２２】概要データの一例を示す図である。
【図２３】本発明に係るプレゼンテーションシステム６の構成を示す概観図である。
【図２４】表示装置７の詳細構成を示すブロック図である。
【図２５】情報処理装置８の詳細構成を示すブロック図である。
【図２６】表示装置７における概要データ作成処理を示すフローチャートである。
【図２７】表示装置７における、音声情報生成処理を示すフローチャートである。
【図２８】情報処理装置８における、閲覧情報生成処理を示すフローチャートである。
【図２９】音声レベルに対する強調レベルの設定例を示す図である。
【図３０】（ａ）及び（ｂ）は、スライド中の文字列に対応付けられた音声レベルの一例を示す図である。
【図３１】音声情報モードにおける概要データの一例を示す図である。
【図３２】情報処理装置８における文書データにおけるスライド毎の閲覧時間の一例を示す図である。
【図３３】閲覧時間モードにおける概要データの一例を示す図である。
【符号の説明】
【０２２６】
１，６…プレゼンテーションシステム，  ２…文書概要作成装置，２ａ…データ通信部，  ２ｂ…文書データ取得部，  ２ｃ…データ制御部，  ２ｄ…データ記憶部，  ２ｅ…表示時間情報生成部，  ２ｆ…マウスポインタ軌跡記録部，  ２ｇ…概要レベル設定部，  ２ｈ…強調箇所抽出部，  ２ｉ…概要データ作成部，  ２ｊ…概要データ配信部，  ２ｋ…画像表示処理部，  ２ｌ…表示部，  ３…表示装置，３ａ…画像信号受信部，  ３ｂ…データ制御部，  ３ｃ…データ記憶部，  ３ｄ…画像投射部，  ４…情報処理装置，４ａ…データ通信部，  ４ｂ…概要データ取得部，  ４ｃ…データ制御部，  ４ｄ…データ記憶部，  ４ｅ…概要画像表示処理部，  ４ｆ…表示部，  ５…スクリーン，  ７…表示装置，  ７ａ…データ通信部，  ７ｂ…音声データ取得部，  ７ｃ…データ制御部，  ７ｄ…データ記憶部，  ７ｅ…音声データ取得部，  ７ｆ…音声情報生成部，  ７ｇ…閲覧情報取得部，  ７ｈ…概要レベル設定部，  ７ｉ…強調箇所抽出部，  ７ｊ…概要データ作成部，  ７ｋ…概要データ配信部，  ７ｌ…画像投射部，  ８…情報処理装置，  ８ａ…データ通信部，  ８ｂ…文書データ取得部，  ８ｃ…データ制御部，  ８ｄ…データ記憶部，  ８ｅ…文書画像表示処理部８ｅ，  ８ｆ…表示部，  ８ｇ…閲覧情報生成部，  ８ｈ…閲覧時間測定部，  ８ｉ…概要データ取得部，  ８ｊ…概要画像表示処理部
【図１】
2006106845.tif 000003
【図２】
2006106845.tif 000004
【図３】
2006106845.tif 000005
【図４】
2006106845.tif 000006
【図５】
2006106845.tif 000007
【図６】
2006106845.tif 000008
【図７】
2006106845.tif 000009
【図８】
2006106845.tif 000010
【図９】
2006106845.tif 000011
【図１０】
2006106845.tif 000012
【図１１】
2006106845.tif 000013
【図１２】
2006106845.tif 000014
【図１３】
2006106845.tif 000015
【図１４】
2006106845.tif 000016
【図１５】
2006106845.tif 000017
【図１６】
2006106845.tif 000018
【図１７】
2006106845.tif 000019
【図１８】
2006106845.tif 000020
【図１９】
2006106845.tif 000021
【図２０】
2006106845.tif 000022
【図２１】
2006106845.tif 000023
【図２２】
2006106845.tif 000024
【図２３】
2006106845.tif 000025
【図２４】
2006106845.tif 000026
【図２５】
2006106845.tif 000027
【図２６】
2006106845.tif 000028
【図２７】
2006106845.tif 000029
【図２８】
2006106845.tif 000030
【図２９】
2006106845.tif 000031
【図３０】
2006106845.tif 000032
【図３１】
2006106845.tif 000033
【図３２】
2006106845.tif 000034
【図３３】
2006106845.tif 000035